(57)【要約】【課題】本発明は、複数のリーダライタを利用する際に複数のリーダライタ（装置）を個別に操作しなければいけない不都合を軽減する。【解決手段】デバイスを検知するための検知信号を放出するとともに、当該検知信号を受信したデバイスから放出されたデバイス返信信号を受信する検知処理を実行するリーダライタの識別情報を１つ以上記憶する識別情報記憶部２と、識別情報記憶部２に識別情報を記憶されているリーダライタである制御対象リーダライタの動作を個別に制御する外部機器制御部３と、制御対象リーダライタと通信可能に構成されており、外部機器制御部３の制御に従い、制御対象リーダライタに実行させる動作内容を示した動作情報を含むリーダライタ制御信号を、制御対象リーダライタに送信する通信部４と、を有する電子機器１。【選択図】図４
2015102929.tif 000002
【特許請求の範囲】
【請求項１】
デバイスを検知するための検知信号を放出するとともに、前記検知信号を受信したデバイスから放出されたデバイス返信信号を受信する検知処理を実行するリーダライタの識別情報を１つ以上記憶する識別情報記憶手段と、
前記識別情報記憶手段に前記識別情報を記憶されている前記リーダライタである制御対象リーダライタの動作を個別に制御する外部機器制御手段と、
前記制御対象リーダライタと通信可能に構成されており、前記外部機器制御手段の制御に従い、前記制御対象リーダライタに実行させる動作内容を示した動作情報を含むリーダライタ制御信号を、前記制御対象リーダライタに送信する通信手段と、
を有する電子機器。
【請求項２】
請求項１に記載の電子機器において、
前記外部機器制御手段は、前記制御対象リーダライタの電源のＯＮ／ＯＦＦ、前記検知処理の実行／休止、前記検知信号の放出の実行／休止、及び、前記検知信号の電波の出力値の中の少なくとも１つを制御する電子機器。
【請求項３】
請求項２に記載の電子機器において、
前記外部機器制御手段は、複数の前記制御対象リーダライタが同時に前記検知信号を放出しないように、前記制御対象リーダライタの電源のＯＮ／ＯＦＦ、前記検知処理の実行／休止、及び、前記検知信号の放出の実行／休止の中の少なくとも１つを制御する電子機器。
【請求項４】
請求項３に記載の電子機器において、
前記外部機器制御手段は、
第１の前記制御対象リーダライタに前記検知処理を実行させる前記動作情報を含む前記リーダライタ制御信号を前記通信手段に送信させ、その後、前記通信手段が前記第１の制御対象リーダライタから前記検知処理を完了したことを示す完了通知を含むＲＷ返信信号を受信すると、その後、前記第１の制御対象リーダライタに前記検知処理を休止させる前記動作情報を含む前記リーダライタ制御信号を前記通信手段に送信させるとともに、第２の前記制御対象リーダライタに前記検知処理を実行させる前記動作情報を含む前記リーダライタ制御信号を前記通信手段に送信させる電子機器。
【請求項５】
請求項３に記載の電子機器において、
前記外部機器制御手段は、
複数の前記制御対象リーダライタ各々が前記検知処理の実行又は前記検知信号の放出の実行を開始するタイミング及び終了するタイミングを示した前記動作情報を含む前記リーダライタ制御信号を前記通信手段に送信させ、
前記動作情報は、複数の前記制御対象リーダライタが同時に前記検知処理又は前記検知信号の放出を実行しないように調整されている電子機器。
【請求項６】
請求項２に記載の電子機器において、
前記外部機器制御手段は、Ｘ個（Ｘは２以上の整数）の前記制御対象リーダライタが同時に前記検知処理を実行する又は同時に前記検知信号の放出を実行するように制御する場合の前記検知信号の電波の出力値が、Ｘ個よりも少ない数の前記制御対象リーダライタが前記検知処理を実行する又は前記検知信号の放出を実行するように制御する場合の前記検知信号の電波の出力値よりも小さくなるように、前記検知信号の電波の出力値を制御する電子機器。
【請求項７】
デバイスを検知するための検知信号を放出するとともに、前記検知信号を受信したデバイスから放出されたデバイス返信信号を受信する検知処理を実行する第１のＲＷ通信手段と、
所定の電子機器と通信可能に構成された第２のＲＷ通信手段と、
前記第２のＲＷ通信手段が前記電子機器から送信された、実行すべき動作内容を示した動作情報を含むリーダライタ制御信号を受信すると、当該動作情報で示される前記動作内容を実行するよう自装置を制御する自装置制御手段と、
を有するリーダライタ。
【請求項８】
請求項７に記載のリーダライタにおいて、
前記自装置制御手段は、前記リーダライタ制御信号に含まれている前記動作情報で示される前記動作内容を完了すると、前記第２のＲＷ通信手段を制御して、完了したことを示すＲＷ返信信号を前記電子機器に送信させるリーダライタ。
【請求項９】
請求項１から６のいずれか１項に記載の電子機器と、
請求項７又は８に記載のリーダライタと、
を有する通信システム。
【請求項１０】
コンピュータを、
デバイスを検知するための検知信号を放出するとともに、前記検知信号を受信したデバイスから放出されたデバイス返信信号を受信する検知処理を実行するリーダライタの識別情報を１つ以上記憶する識別情報記憶手段、
前記識別情報記憶手段に前記識別情報を記憶されている前記リーダライタである制御対象リーダライタの動作を個別に制御する外部機器制御手段、
前記外部機器制御手段の制御に従い、前記制御対象リーダライタに実行させる動作内容を示した動作情報を含むリーダライタ制御信号を、前記制御対象リーダライタに送信する通信手段、
として機能させるためのプログラム。
【請求項１１】
コンピュータが、
デバイスを検知するための検知信号を放出するとともに、前記検知信号を受信したデバイスから放出されたデバイス返信信号を受信する検知処理を実行するリーダライタの識別情報を１つ以上記憶する識別情報記憶しておき、
前記識別情報を記憶している前記リーダライタである制御対象リーダライタの動作を個別に制御する外部機器制御工程と、
前記外部機器制御工程に基づいた制御に従い、前記制御対象リーダライタに実行させる動作内容を示した動作情報を含むリーダライタ制御信号を、前記制御対象リーダライタに送信する通信工程と、
を実行する電子機器の動作方法。
【請求項１２】
コンピュータを、
デバイスを検知するための検知信号を放出するとともに、前記検知信号を受信したデバイスから放出されたデバイス返信信号を受信する検知処理を実行する第１のＲＷ通信手段、
所定の電子機器と通信可能に構成された第２のＲＷ通信手段、
前記第２のＲＷ通信手段が前記電子機器から送信された、実行すべき動作内容を示した動作情報を含むリーダライタ制御信号を受信すると、当該動作情報で示される前記動作内容を実行するよう自装置を制御する自装置制御手段、
として機能させるためのプログラム。
【請求項１３】
コンピュータが、
デバイスを検知するための検知信号を放出するとともに、前記検知信号を受信したデバイスから放出されたデバイス返信信号を受信する検知処理を実行する第１のＲＷ通信工程と、
所定の電子機器と通信する第２のＲＷ通信工程と、
前記第２のＲＷ通信工程で前記電子機器から送信された、実行すべき動作内容を示した動作情報を含むリーダライタ制御信号を受信すると、当該動作情報で示される前記動作内容を実行するよう自装置を制御する自装置制御工程と、
を実行するリーダライタの動作方法。
【請求項１４】
デバイスを検知するための検知信号を放出するとともに、前記検知信号を受信したデバイスから放出されたデバイス返信信号を受信する検知処理を実行する第１のＲＷ通信手段と、
前記デバイス返信信号に含まれる収集対象情報を記憶する収集対象情報記憶手段と、
所定の電子機器と通信可能に構成されており、前記収集対象情報を示した情報信号を前記電子機器に送信する第２のＲＷ通信手段と、
前記収集対象情報が前記電子機器に正常に取得されたか確認し、正常に取得されたことが確認された前記収集対象情報を前記収集対象情報記憶手段から削除する収集対象情報管理手段と、
を有するリーダライタ。
【請求項１５】
請求項１４に記載のリーダライタにおいて、
前記収集対象情報管理手段は、前記第２のＲＷ通信手段が第１の前記収集対象情報を示した前記情報信号を送信したが、前記電子機器が前記第１の収集対象情報を正常に取得したことを確認できない場合、前記第２のＲＷ通信手段に前記第１の収集対象情報を示した前記情報信号を再度送信させるリーダライタ。
【請求項１６】
請求項１４又は１５に記載のリーダライタにおいて、
前記収集対象情報記憶手段は、不揮発性の記憶装置であるリーダライタ。
【請求項１７】
コンピュータを、
デバイスを検知するための検知信号を放出するとともに、前記検知信号を受信したデバイスから放出されたデバイス返信信号を受信する検知処理を実行する第１のＲＷ通信手段、
前記デバイス返信信号に含まれる収集対象情報を記憶する収集対象情報記憶手段、
所定の電子機器と通信可能に構成されており、前記収集対象情報を示した情報信号を前記電子機器に送信する第２のＲＷ通信手段、
前記収集対象情報が前記電子機器に正常に取得されたか確認し、正常に取得されたことが確認された前記収集対象情報を前記収集対象情報記憶手段から削除する収集対象情報管理手段、
として機能させるためのプログラム。
【請求項１８】
コンピュータが、
デバイスを検知するための検知信号を放出するとともに、前記検知信号を受信したデバイスから放出されたデバイス返信信号を受信する検知処理を実行する第１のＲＷ通信工程と、
前記デバイス返信信号に含まれる収集対象情報を記憶手段に記憶させる収集対象情報記憶工程と、
前記収集対象情報を示した情報信号を所定の電子機器に送信するとともに、前記電子機器が送信した電子機器返信信号を受信する第２のＲＷ通信工程と、
前記収集対象情報が前記電子機器に正常に取得されたか確認し、正常に取得されたことが確認された前記収集対象情報を前記記憶手段から削除する収集対象情報管理工程と、
を実行するリーダライタの動作方法。
【請求項１９】
請求項１４から１６のいずれか１項に記載のリーダライタと、
請求項１４に記載の電子機器と、
を有する通信システム。
【請求項２０】
電子機器と、リーダライタとを有する通信システムであって、
前記リーダライタは、
デバイスを検知するための検知信号を放出するとともに、前記検知信号を受信したデバイスから放出されたデバイス返信信号を受信する検知処理を実行する第１のＲＷ通信手段と、
前記デバイス返信信号に対応する時刻を示す第１の時刻情報を取得する第１の時刻情報取得手段と、
前記デバイス返信信号に含まれる収集対象情報と、前記第１の時刻情報とを対応付けた第１の対応情報を記憶する収集対象情報・時刻記憶手段と、
を有し、
前記電子機器は、
現在の位置情報を取得する位置情報取得手段と、
前記位置情報に対応する時刻を示す第２の時刻情報を取得する第２の時刻情報取得手段と、
前記位置情報と前記第２の時刻情報とを対応付けた第２の対応情報を記憶する位置・時刻情報記憶手段と、
を有し、
前記第１の対応情報と前記第２の対応情報とを用いて、前記収集対象情報と前記位置情報とが対応付けられる通信システム。
【発明の詳細な説明】
【技術分野】
【０００１】
本発明は、電子機器、リーダライタ、通信システム、電子機器の動作方法、リーダライタの動作方法、及び、プログラムに関する。
【背景技術】
【０００２】
特許文献１には、互いに通信可能に構成された１つのリーダユニットと１つのメインユニットとを有するシステムが開示されている。メインユニットがリーダユニットにリードコマンドを送信すると、リーダユニットはタグに対する問合せ信号を放出する。そして、リーダユニットは、当該問合わせ信号を受信したタグから放出された応答信号を受信する。応答信号には、タグの識別情報等が含まれている。
【０００３】
特許文献２には、複数のリーダライタと１つのサーバとを有するシステムが開示されている。サーバは、複数のリーダライタ各々がタグから取得した情報を取得し、取得した情報を管理する。
【先行技術文献】
【特許文献】
【０００４】
【特許文献１】特開２００９−１９３２５３号公報
【特許文献２】特開２００６−２３２５１５号公報
【発明の概要】
【発明が解決しようとする課題】
【０００５】
複数のリーダライタを用いてタグを検知する場合がある。リーダライタから放出される検知信号は、障害物により進行が妨げられ得る。所定の場所に位置するタグから確実に情報を取得するためには、複数のリーダライタを用い、複数の方向から所定の位置に向けて検知信号を放出するのが好ましい。例えばこのような場合に、複数のリーダライタが利用される。
【０００６】
複数のリーダライタを利用する場合に、複数のリーダライタを個別に操作して、電源のＯＮ／ＯＦＦを切り替えたり、検知信号を放出してタグを検知する処理の実行／休止を切り替えたり、放出する検知信号の電波の出力値を調整したりすることは手間である。
【０００７】
特許文献１に開示のシステムの場合、１つのメインユニットで１つのリーダユニットの動作（問い合わせ信号の放出）を制御するように構成されている。このため第１のリーダユニットの動作を制御するためには第１のメインユニットを操作し、第２のリーダユニットの動作を制御するためには第２のメインユニットを操作する必要がある。すなわち、複数のリーダライタを利用する際に複数の装置（メインユニット）を個別に操作しなければいけない。このような特許文献１に開示のシステムの場合、上記問題を解決できない。
【０００８】
また、特許文献２に開示のシステムの場合、サーバはリーダライタから情報を取得するが、リーダライタの動作を制御するようには構成されていない。このため、特許文献２に開示のシステムは上記問題を解決できない。
【０００９】
本発明は、複数のリーダライタを利用する際に複数のリーダライタ（装置）を個別に操作しなければいけない不都合を軽減するための技術を提供することを課題とする。
【課題を解決するための手段】
【００１０】
本発明によれば、
デバイスを検知するための検知信号を放出するとともに、前記検知信号を受信したデバイスから放出されたデバイス返信信号を受信する検知処理を実行するリーダライタの識別情報を１つ以上記憶する識別情報記憶手段と、
前記識別情報記憶手段に前記識別情報を記憶されている前記リーダライタである制御対象リーダライタの動作を個別に制御する外部機器制御手段と、
前記制御対象リーダライタと通信可能に構成されており、前記外部機器制御手段の制御に従い、前記制御対象リーダライタに実行させる動作内容を示した動作情報を含むリーダライタ制御信号を、前記制御対象リーダライタに送信する通信手段と、
を有する電子機器が提供される。
【００１１】
また、本発明によれば、
デバイスを検知するための検知信号を放出するとともに、前記検知信号を受信したデバイスから放出されたデバイス返信信号を受信する検知処理を実行する第１のＲＷ通信手段と、
所定の電子機器と通信可能に構成された第２のＲＷ通信手段と、
前記第２のＲＷ通信手段が前記電子機器から送信された、実行すべき動作内容を示した動作情報を含むリーダライタ制御信号を受信すると、当該動作情報で示される前記動作内容を実行するよう自装置を制御する自装置制御手段と、
を有するリーダライタが提供される。
【００１２】
また、本発明によれば、上記電子機器と、上記リーダライタとを有する通信システムが提供される。
【００１３】
また、本発明によれば、
コンピュータを、
デバイスを検知するための検知信号を放出するとともに、前記検知信号を受信したデバイスから放出されたデバイス返信信号を受信する検知処理を実行するリーダライタの識別情報を１つ以上記憶する識別情報記憶手段、
前記識別情報記憶手段に前記識別情報を記憶されている前記リーダライタである制御対象リーダライタの動作を個別に制御する外部機器制御手段、
前記外部機器制御手段の制御に従い、前記制御対象リーダライタに実行させる動作内容を示した動作情報を含むリーダライタ制御信号を、前記制御対象リーダライタに送信する通信手段、
として機能させるためのプログラムが提供される。
【００１４】
また、本発明によれば、
コンピュータが、
デバイスを検知するための検知信号を放出するとともに、前記検知信号を受信したデバイスから放出されたデバイス返信信号を受信する検知処理を実行するリーダライタの識別情報を１つ以上記憶する識別情報記憶しておき、
前記識別情報を記憶している前記リーダライタである制御対象リーダライタの動作を個別に制御する外部機器制御工程と、
前記外部機器制御工程に基づいた制御に従い、前記制御対象リーダライタに実行させる動作内容を示した動作情報を含むリーダライタ制御信号を、前記制御対象リーダライタに送信する通信工程と、
を実行する電子機器の動作方法が提供される。
【００１５】
また、本発明によれば、
コンピュータを、
デバイスを検知するための検知信号を放出するとともに、前記検知信号を受信したデバイスから放出されたデバイス返信信号を受信する検知処理を実行する第１のＲＷ通信手段、
所定の電子機器と通信可能に構成された第２のＲＷ通信手段、
前記第２のＲＷ通信手段が前記電子機器から送信された、実行すべき動作内容を示した動作情報を含むリーダライタ制御信号を受信すると、当該動作情報で示される前記動作内容を実行するよう自装置を制御する自装置制御手段、
として機能させるためのプログラムが提供される。
【００１６】
また、本発明によれば、
コンピュータが、
デバイスを検知するための検知信号を放出するとともに、前記検知信号を受信したデバイスから放出されたデバイス返信信号を受信する検知処理を実行する第１のＲＷ通信工程と、
所定の電子機器と通信する第２のＲＷ通信工程と、
前記第２のＲＷ通信工程で前記電子機器から送信された、実行すべき動作内容を示した動作情報を含むリーダライタ制御信号を受信すると、当該動作情報で示される前記動作内容を実行するよう自装置を制御する自装置制御工程と、
を実行するリーダライタの動作方法が提供される。
【００１７】
また、本発明によれば、
デバイスを検知するための検知信号を放出するとともに、前記検知信号を受信したデバイスから放出されたデバイス返信信号を受信する検知処理を実行する第１のＲＷ通信手段と、
前記デバイス返信信号に含まれる収集対象情報を記憶する収集対象情報記憶手段と、
所定の電子機器と通信可能に構成されており、前記収集対象情報を示した情報信号を前記電子機器に送信する第２のＲＷ通信手段と、
前記収集対象情報が前記電子機器に正常に取得されたか確認し、正常に取得されたことが確認された前記収集対象情報を前記収集対象情報記憶手段から削除する収集対象情報管理手段と、
を有するリーダライタが提供される。
【００１８】
また、本発明によれば、
上記リーダライタと、上記電子機器とを有する通信システムが提供される。
【００１９】
また、本発明によれば、
コンピュータを、
デバイスを検知するための検知信号を放出するとともに、前記検知信号を受信したデバイスから放出されたデバイス返信信号を受信する検知処理を実行する第１のＲＷ通信手段、
前記デバイス返信信号に含まれる収集対象情報を記憶する収集対象情報記憶手段、
所定の電子機器と通信可能に構成されており、前記収集対象情報を示した情報信号を前記電子機器に送信する第２のＲＷ通信手段、
前記収集対象情報が前記電子機器に正常に取得されたか確認し、正常に取得されたことが確認された前記収集対象情報を前記収集対象情報記憶手段から削除する収集対象情報管理手段、
として機能させるためのプログラムが提供される。
【００２０】
また、本発明によれば、
コンピュータが、
デバイスを検知するための検知信号を放出するとともに、前記検知信号を受信したデバイスから放出されたデバイス返信信号を受信する検知処理を実行する第１のＲＷ通信工程と、
前記デバイス返信信号に含まれる収集対象情報を記憶手段に記憶させる収集対象情報記憶工程と、
前記収集対象情報を示した情報信号を所定の電子機器に送信するとともに、前記電子機器が送信した電子機器返信信号を受信する第２のＲＷ通信工程と、
前記収集対象情報が前記電子機器に正常に取得されたか確認し、正常に取得されたことが確認された前記収集対象情報を前記記憶手段から削除する収集対象情報管理工程と、
を実行するリーダライタの動作方法が提供される。
【００２１】
また、本発明によれば、
電子機器と、リーダライタとを有する通信システムであって、
前記リーダライタは、
デバイスを検知するための検知信号を放出するとともに、前記検知信号を受信したデバイスから放出されたデバイス返信信号を受信する検知処理を実行する第１のＲＷ通信手段と、
前記デバイス返信信号に対応する時刻を示す第１の時刻情報を取得する第１の時刻情報取得手段と、
前記デバイス返信信号に含まれる収集対象情報と、前記第１の時刻情報とを対応付けた第１の対応情報を記憶する収集対象情報・時刻記憶手段と、
を有し、
前記電子機器は、
現在の位置情報を取得する位置情報取得手段と、
前記位置情報に対応する時刻を示す第２の時刻情報を取得する第２の時刻情報取得手段と、
前記位置情報と前記第２の時刻情報とを対応付けた第２の対応情報を記憶する位置・時刻情報記憶手段と、
を有し、
前記第１の対応情報と前記第２の対応情報とを用いて、前記収集対象情報と前記位置情報とが対応付けられる通信システムが提供される。
【発明の効果】
【００２２】
本発明によれば、複数のリーダライタを利用する際に複数のリーダライタを個別に操作しなければいけない不都合を軽減することが可能となる。
【図面の簡単な説明】
【００２３】
【図１】本実施形態の通信システムの全体像の一例を概念的に示す図である。
【図２】本実施形態の通信システムの使用例を概念的に示す図である。
【図３】本実施形態の電子機器のハードウエア構成の一例を概念的に示す図である。
【図４】本実施形態の電子機器の機能ブロック図の一例を示す図である。
【図５】本実施形態のリーダライタ制御信号の構成の一例を概念的に示す図である。
【図６】本実施形態の動作情報の一例を概念的に示す図である。
【図７】本実施形態の作業毎制御内容情報の一例を概念的に示す図である。
【図８】本実施形態のリーダライタのハードウエア構成の一例を概念的に示す図である。
【図９】本実施形態のリーダライタの機能ブロック図の一例を示す図である。
【図１０】本実施形態の電子機器がリーダライタの動作を制御する内容の一例を概念的に示す図である。
【図１１】本実施形態の電子機器がリーダライタの動作を制御する内容の一例を概念的に示す図である。
【図１２】本実施形態のリーダライタ制御信号の内容の一例を概念的に示す図である。
【図１３】本実施形態の通信システムの処理の流れの一例を示すシーケンス図である。
【図１４】本実施形態の通信システムの処理の流れの一例を示すシーケンス図である。
【図１５】本実施形態の電子機器の機能ブロック図の一例を示す図である。
【図１６】本実施形態のリーダライタの機能ブロック図の一例を示す図である。
【図１７】本実施形態の電子機器の機能ブロック図の一例を示す図である。
【図１８】本実施形態の第２の対応情報の構成の一例を概念的に示す図である。
【図１９】本実施形態のリーダライタの機能ブロック図の一例を示す図である。
【図２０】本実施形態の第１の対応情報の構成の一例を概念的に示す図である。
【発明を実施するための形態】
【００２４】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。
【００２５】
＜＜第１の実施形態＞＞
まず、本実施形態の通信システムの概要及び全体像について説明する。図１に示すように、本実施形態の通信システムは、１つの電子機器１と、当該電子機器１と無線通信可能な１つ以上のリーダライタ（ＲＷ）１１乃至１Ｘとを有する。
【００２６】
リーダライタ（ＲＷ）１１乃至１Ｘは、デバイス（ＲＦＩＤ（Radio Frequency Identification）タグを有するデバイス）を検知するための検知信号を放出するとともに、検知信号を受信したＲＦＩＤタグ（デバイス）から放出されたデバイス返信信号を受信する検知処理を実行する。
【００２７】
電子機器１は、複数のリーダライタ（ＲＷ）１１乃至１Ｘ各々の動作を制御することができる。例えば、電子機器１は、リーダライタ（ＲＷ）１１乃至１Ｘの電源のＯＮ／ＯＦＦ、上記検知処理の実行／休止、検知信号放出の実行／休止、及び、検知信号の電波の出力値の中の少なくとも１つを個別に制御する。
【００２８】
本実施形態の通信システムの具体的な利用場面の一例を図２に示す。図２には、トラックの荷台の入り口付近に３つのリーダライタ（ＲＷ）１１乃至１３が取り付けられている状態が示されている。当該利用場面の場合、トラック内に積み込まれる荷物各々にＲＦＩＤタグが付される。そして、トラック内に荷物を積み込む際、及び、トラック内から荷下しする際に、３つのリーダライタ（ＲＷ）１１乃至１３で荷物に付されたＲＦＩＤタグを読み取ることとなる。
【００２９】
本実施形態の場合、作業者は、１つの電子機器１を操作することで、複数のリーダライタ（ＲＷ）１１乃至１Ｘ各々の動作を制御することができる。このため、作業者は、複数のリーダライタ（ＲＷ）１１乃至１Ｘを個別に操作して、電源のＯＮ／ＯＦＦ、検知処理の実行／休止、検知信号放出の実行／休止、及び、検知信号の電波の出力値等を切り替えるという面倒な作業を回避できる。
【００３０】
次に、電子機器１及びリーダライタ（ＲＷ）１１乃至１３各々の構成について説明する。
【００３１】
＜電子機器１＞
電子機器１は、可搬型の端末である。電子機器１は本実施形態の通信システム専用の端末であってもよいし、スマートフォン等のような広く普及している端末に所定のアプリをインストールすることで実現された端末であってもよい。
【００３２】
まず、本実施形態の電子機器１のハードウエア構成の一例について説明する。本実施形態の電子機器１が備える各部は、任意のコンピュータのＣＰＵ（Central Processing Unit）、メモリ、メモリにロードされたプログラム（あらかじめ装置を出荷する段階からメモリ内に格納されているプログラムのほか、ＣＤ（Compact Disc）等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００３３】
図３は、本実施形態の電子機器１のハードウエア構成の一例を概念的に示す図である。図示するように、本実施形態の電子機器１は、例えば、バス１０Ａで相互に接続されるＣＰＵ１Ａ、ＲＡＭ（Random Access Memory）２Ａ、ＲＯＭ（Read Only Memory）３Ａ、通信部４Ａ、操作受付部５Ａ、操作部６Ａ、表示制御部７Ａ、ディスプレイ８Ａ、補助記憶装置９Ａ等を有する。なお、図示しないが、その他、外部機器と有線で接続される入出力Ｉ／Ｆ、通信部４Ａと異なる手段で外部機器と通信するための通信部、マイク、スピーカ、カメラ等の他の要素を備えてもよい。
【００３４】
ＣＰＵ１Ａは各要素とともに電子機器１のコンピュータ全体を制御する。ＲＯＭ３Ａは、コンピュータを動作させるためのプログラムや各種アプリケーションプログラム、それらのプログラムが動作する際に使用する各種設定データなどを記憶する領域を含む。ＲＡＭ２Ａは、プログラムが動作するための作業領域など一時的にデータを記憶する領域を含む。
【００３５】
ディスプレイ８Ａは、表示装置（ＬＥＤ（Light Emitting Diode）表示器、液晶ディスプレイ、有機ＥＬ（Electro Luminescence）ディスプレイ等）を備える。なお、ディスプレイ８Ａは、タッチパッドと一体になったタッチパネルディスプレイであってもよい。表示制御部７Ａは、ＶＲＡＭ（Video RAM）に記憶されたデータを読み出し、読み出したデータに対して所定の処理を施した後、ディスプレイ８Ａに送って各種画面表示を行う。操作受付部５Ａは、操作部６Ａを介して各種操作を受付ける。操作部６Ａは、操作キー、操作ボタン、スイッチ、ジョグダイヤル、タッチパネルディスプレイなどを含む。
【００３６】
通信部４Ａは、Ｗｉ−Ｆｉ（登録商標）やＢｌｕｅｔｏｏｔｈ（登録商標）等の規格に従った無線通信を行う。補助記憶装置９Ａは、不揮発性の記憶装置である。
【００３７】
次に、本実施形態の電子機器１の機能構成について説明する。図４に、本実施形態の電子機器１の機能ブロック図の一例を示す。図示するように、本実施形態の電子機器１は、識別情報記憶部２と、外部機器制御部３と、通信部４とを有する。
【００３８】
識別情報記憶部２は、リーダライタ（ＲＷ）１１乃至１Ｘの識別情報を１つ以上記憶する。識別情報記憶部２が識別情報を記憶しているリーダライタ（ＲＷ）１１乃至１Ｘが、当該電子機器１により動作を制御されるリーダライタ（ＲＷ）１１乃至１Ｘとなる。
【００３９】
例えば、本実施形態の通信システムを利用して所定の作業（例：図２に示したような荷物運搬作業）を行う作業者は、自己が使用する電子機器１と、１つ以上のリーダライタ（ＲＷ）１１乃至１Ｘとが互いに所定の規格（例：Ｗｉ−Ｆｉ（登録商標）、Ｂｌｕｅｔｏｏｔｈ（登録商標））で無線通信できるように初期設定（例：ペアリング、通信相手機器の識別情報やパスワードの入力等）を行う。電子機器１は、この初期設定において、制御対象のリーダライタ（ＲＷ）１１乃至１Ｘの識別情報等を取得する。そして、電子機器１は、取得した識別情報を識別情報記憶部２に登録する。
【００４０】
なお、電子機器１と、当該電子機器１に動作を制御される１つ以上のリーダライタ（ＲＷ）１１乃至１Ｘとがあらかじめセットで販売されているような場合、販売者が上述のような初期設定をあらかじめ行ってもよい。この場合、商品の出荷段階から、予め、識別情報記憶部２に１つ以上のリーダライタ（ＲＷ）１１乃至１Ｘの識別情報が記憶されることとなる。この場合、作業者は上記初期設定を行わなくてよい。
【００４１】
通信部４は、識別情報記憶部２に識別情報を記憶されているリーダライタ（ＲＷ）１１乃至１Ｘである制御対象リーダライタ（ＲＷ）１１乃至１Ｘと通信可能に構成されている。上述の通り、電子機器１と、識別情報記憶部２に識別情報が記憶されている制御対象リーダライタ（ＲＷ）１１乃至１Ｘとは、所定の規格で無線通信を行うための設定が完了している。通信部４は、当該所定の規格の無線通信により、制御対象リーダライタ（ＲＷ）１１乃至１Ｘと通信することができる。
【００４２】
外部機器制御部３は、制御対象リーダライタ（ＲＷ）１１乃至１Ｘの動作を個別に制御する。外部機器制御部３は、通信部４を制御し、リーダライタ制御信号を制御対象リーダライタ（ＲＷ）１１乃至１Ｘ各々に送信させる。リーダライタ制御信号には、制御対象リーダライタ（ＲＷ）１１乃至１Ｘに実行させる動作内容を示した動作情報が含まれる。以下で説明するが、リーダライタ制御信号を受信した制御対象リーダライタ（ＲＷ）１１乃至１Ｘは、当該リーダライタ制御信号に含まれる動作情報に従い、所定の動作を実行する。
【００４３】
ここで、図５に、リーダライタ制御信号の構成の一例を示す。リーダライタ制御信号は、例えば、制御対象の制御対象リーダライタ（ＲＷ）１１乃至１Ｘの識別情報と、当該識別情報で特定される制御対象リーダライタ（ＲＷ）１１乃至１Ｘに実行させる動作内容を示した動作情報とを含む。
【００４４】
図６に、動作情報の例を列挙する。外部機器制御部３は、通信部４を制御し、例えば図６に示すような動作情報を含むリーダライタ制御信号を制御対象リーダライタ（ＲＷ）１１乃至１Ｘに送信させることができる。図６に示すように、外部機器制御部３は、制御対象リーダライタ（ＲＷ）１１乃至１Ｘの電源のＯＮ／ＯＦＦ、検知処理の実行／休止、検知信号放出の実行／休止、及び、検知信号の電波の出力値の中の少なくとも１つを制御することができる。
【００４５】
なお、外部機器制御部３は、作業者が電子機器１を操作して入力した指示内容に従い、制御対象リーダライタ（ＲＷ）１１乃至１Ｘの動作を制御することができる。例えば、作業者は、電子機器１を操作して、制御対象リーダライタ（ＲＷ）１１乃至１Ｘの中の１つ又は複数を選択し、選択した制御対象リーダライタ（ＲＷ）１１乃至１Ｘに行わせる動作内容を入力することができる。すると、外部機器制御部３は、作業者の入力内容に従い、選択されたリーダライタ（ＲＷ）１１乃至１Ｘに入力された動作内容を行わせるためのリーダライタ制御信号を生成し、通信部４を介して制御対象リーダライタ（ＲＷ）１１乃至１Ｘに送信する。
【００４６】
一例として、作業者が電子機器１を操作して、制御対象リーダライタ（ＲＷ）１１乃至１Ｘの中の一部または全部の電源をＯＮにする指示内容を入力したとする。すると、外部機器制御部３は、電源をＯＮにさせる動作情報を含んだリーダライタ制御信号を、通信部４を介して一部または全部の制御対象リーダライタ（ＲＷ）１１乃至１Ｘに送信する。
【００４７】
その他の例として、例えば、作業者が電子機器１を操作して制御対象リーダライタ（ＲＷ）１１乃至１Ｘの中の一部または全部を選択し、選択した制御対象リーダライタ（ＲＷ）１１乃至１Ｘに検知処理を実行させる指示内容又は検知信号の放出を実行させる指示内容を入力したとする。すると、外部機器制御部３は、検知処理を実行させる動作情報又は検知信号の放出を実行させる動作情報を含んだリーダライタ制御信号を、通信部４を介して選択された制御対象リーダライタ（ＲＷ）１１乃至１Ｘに送信する。
【００４８】
このとき、外部機器制御部３は、当該リーダライタ制御信号の中に、検知信号の電波の出力値を指定した動作情報を自動的に含めてもよい。例えば、外部機器制御部３は、作業者により選択された制御対象リーダライタ（ＲＷ）１１乃至１Ｘの数に応じて、検知信号の電波の出力値を自動的に調整してもよい。例えば、外部機器制御部３は同時に検知処理または検知信号の放出を実行する制御対象リーダライタ（ＲＷ）１１乃至１Ｘの数と、電波の出力値とを対応付けた情報を予め保持しておき、当該情報を利用して、出力値を決定してもよい。
【００４９】
外部機器制御部３は、Ｘ個（Ｘは２以上の整数）の制御対象リーダライタ（ＲＷ）１１乃至１Ｘが同時に検知処理を実行する又は同時に検知信号の放出を実行するように制御する場合の検知信号の電波の出力値が、Ｘ個よりも少ない数の制御対象リーダライタ（ＲＷ）１１乃至１Ｍ（Ｍは１以上Ｘより小さい整数）が検知処理を実行する又は検知信号の放出を実行するように制御する場合の検知信号の電波の出力値よりも小さくなるように、検知信号の電波の出力値を調整してもよい。同時に検知信号を放出する制御対象リーダライタ（ＲＷ）１１乃至１Ｘの数が多いほど、干渉がおきやすくなる。本実施形態では、同時に検知信号を放出する制御対象リーダライタ（ＲＷ）１１乃至１Ｘの数が多いほど検知信号の電波の出力値を小さくすることで、干渉の問題を軽減することができる。
【００５０】
その他の例として、外部機器制御部３は、図７に示すような作業毎の検知処理の内容を示した情報（以下、「作業毎制御内容情報」）をあらかじめ保持しておいてもよい。図７に示す作業毎制御内容情報は、作業内容、動作対象、出力値の欄を有する。
【００５１】
作業内容の欄には、作業者が行う作業内容を識別する情報が記載される。図示する例の場合、荷物が集まる荷物センターでトラックに荷物を積む作業を示す「積荷（センター）」、荷物センターでトラックから荷物を下ろす作業を示す「荷下し（センター）」、荷物の集配先や配達先でトラックに荷物を積む作業を示す「積荷（顧客）」、荷物の配達先でトラックから荷物を下ろす作業を示す「荷下し（顧客）」が記載されている。
【００５２】
動作対象の欄には、各作業時に検知処理を実行させる制御対象リーダライタ（ＲＷ）１１乃至１Ｘの識別情報が記載される。出力値の欄には、各作業時に制御対象リーダライタ（ＲＷ）１１乃至１Ｘが放出する検知信号の電波の出力値が記載される。
【００５３】
図示する例によれば、作業「積荷（センター）」の場合、リーダライタ（ＲＷ）１乃至３が検知処理を実行し、各々の検知信号の出力値は「ＸＸ」であることが分かる。また、作業「積荷（顧客）」の場合、リーダライタ（ＲＷ）１のみが検知処理を実行し、検知信号の出力値は「ＹＹ」であることが分かる。
【００５４】
例えば、作業者が電子機器１を操作して、作業内容を選択する入力と、検知処理を実行させる指示入力を行うと、外部機器制御部３は、作業毎制御内容情報を利用して制御内容を特定することができる。例えば、作業者が電子機器１を操作して、作業内容「積荷（センター）」を選択し、検知処理を実行させる指示入力を行うと、外部機器制御部３は、図７に示す作業毎制御内容情報を参照して、リーダライタ（ＲＷ）１乃至３に検知処理を実行させること、及び、各々の検知信号の出力値は「ＸＸ」にさせることを特定する。そして、外部機器制御部３は、特定した内容の動作情報を含むリーダライタ制御信号を、通信部４を介して制御対象リーダライタ（ＲＷ）１１乃至１Ｘに送信する。
【００５５】
なお、作業毎制御内容情報は、電子機器１の出荷段階、または、所定のアプリをインストール直後の初期段階において、既に外部機器制御部３に登録されていてもよい。また、作業毎制御内容情報は、作業者が登録、削除、更新等できてもよい。例えば、作業者は、以下の（１）乃至（３）の処理を行うことで、新たな作業毎制御内容情報を登録できてもよい。
【００５６】
（１）電子機器１を操作し、任意の作業内容の名称を入力する。
（２）電子機器１を操作し、識別情報記憶部２に識別情報が記憶されている制御対象リーダライタ（ＲＷ）１１乃至１Ｘの中の一部または全部を、（１）で名称を入力した作業時に検知処理を実行させる制御対象リーダライタ（ＲＷ）１１乃至１Ｘとして選択する。
（３）電子機器１を操作し、（２）で選択した制御対象リーダライタ（ＲＷ）１１乃至１Ｘ各々の検知信号の電波の出力値を入力する。なお、複数の制御対象リーダライタ（ＲＷ）１１乃至１Ｘの出力値は同じであってもよいし、異なっていてもよい。
【００５７】
ここでは、積荷及び荷下しの作業を例にとり作業毎制御内容情報を説明したが、作業内容はこれに限定されない。
【００５８】
＜リーダライタ（ＲＷ）１１乃至１Ｘ＞
リーダライタ（ＲＷ）１１乃至１Ｘは、可搬型の端末であってもよいし、据置型の端末であってもよい。リーダライタ（ＲＷ）１１乃至１Ｘの形状、大きさなどは特段制限されない。
【００５９】
まず、本実施形態のリーダライタ（ＲＷ）１１乃至１Ｘのハードウエア構成の一例について説明する。本実施形態のリーダライタ（ＲＷ）１１乃至１Ｘが備える各部は、任意のコンピュータのＣＰＵ、メモリ、メモリにロードされたプログラム（あらかじめ装置を出荷する段階からメモリ内に格納されているプログラムのほか、ＣＤ等の記憶媒体やインターネット上のサーバ等からダウンロードされたプログラムも含む）、そのプログラムを格納するハードディスク等の記憶ユニット、ネットワーク接続用インタフェイスを中心にハードウエアとソフトウエアの任意の組合せによって実現される。そして、その実現方法、装置にはいろいろな変形例があることは、当業者には理解されるところである。
【００６０】
図８は、本実施形態のリーダライタ（ＲＷ）１１乃至１Ｘのハードウエア構成の一例を概念的に示す図である。図示するように、本実施形態のリーダライタ（ＲＷ）１１乃至１Ｘは、例えば、バス１９Ａで相互に接続されるＣＰＵ１１Ａ、ＲＡＭ１２Ａ、ＲＯＭ１３Ａ、第１通信部１４Ａ、第２通信部１５Ａ、操作受付部１６Ａ、操作部１７Ａ、不揮発性記憶装置１８Ａ等を有する。なお、図示しないが、その他、外部機器と有線で接続される入出力Ｉ／Ｆ、第１通信部１４Ａ及び第２通信部１５Ａと異なる手段で外部機器と通信するための通信部、マイク、スピーカ、カメラ、ディスプレイ等を有してもよい。
【００６１】
第１通信部１４Ａは、ＲＦＩＤタグを検知するための検知信号（電波）をアンテナから放出するとともに、当該検知信号を受信したデバイスから放出されたデバイス返信信号（電波）をアンテナで受信する。第２通信部１５Ａは、Ｗｉ−Ｆｉ（登録商標）やＢｌｕｅｔｏｏｔｈ（登録商標）等の規格に従った無線通信を行う。その他の構成要素は、電子機器１のハードウエア構成で説明した通りであるので、ここでの説明は省略する。
【００６２】
次に、本実施形態のリーダライタ（ＲＷ）１１乃至１Ｘの機能構成について説明する。図９に、本実施形態のリーダライタ（ＲＷ）１１乃至１Ｘの機能ブロック図の一例を示す。なお、図示するリーダライタには、１１の番号を対応付けている。図示するように、本実施形態のリーダライタ（ＲＷ）１１乃至１Ｘは、自装置情報記憶部２０と、第１のＲＷ通信部２１と、第２のＲＷ通信部２２と、自装置制御部２３とを有する。
【００６３】
自装置情報記憶部２０は、自装置（リーダライタ（ＲＷ）１１乃至１Ｘ）に関する情報、例えば自装置の識別情報等を記憶する。
【００６４】
第１のＲＷ通信部２１は、ＲＦＩＤタグを有するデバイスを検知するための検知信号を放出するとともに、検知信号を受信したＲＦＩＤタグ（デバイス）から放出されたデバイス返信信号を受信する検知処理を実行する。第１のＲＷ通信部２１の構成は、従来技術に準じて実現できる。デバイス返信信号の中には、収集対象の情報である収集対象情報（例：ＲＦＩＤタグやデバイスの識別情報等）が含まれている。
【００６５】
第２のＲＷ通信部２２は、所定の無線通信規格（例：Ｗｉ−Ｆｉ（登録商標）、Ｂｌｕｅｔｏｏｔｈ（登録商標））に従い、所定の電子機器１と通信可能に構成される。所定の電子機器１は、所定の無線通信規格でリーダライタ（ＲＷ）１１乃至１Ｘと無線通信するための設定（ペアリング、通信相手機器の識別情報やパスワードなどの入力）が行われた電子機器１である。第２のＲＷ通信部２２は、例えば、電子機器１が送信したリーダライタ制御信号を受信することができる。また、第２のＲＷ通信部２２は、所定の情報を含むＲＷ返信信号を電子機器１に向けて送信することができる。例えば、第２のＲＷ通信部２２は、第１のＲＷ通信部２１が受信したデバイス返信信号に含まれている収集対象情報や収集対象情報の属性情報（収集対象情報を取得した時間・位置等）を、所定のタイミング（設計的事項）で電子機器１に送信することができる。
【００６６】
自装置制御部２３は、第２のＲＷ通信部２２が電子機器１から受信したリーダライタ制御信号に含まれている動作情報（実行すべき動作内容を示した情報）で示される動作内容を実行するように、自装置を制御する。
【００６７】
例えば、自装置制御部２３は、リーダライタ制御信号に含まれる動作情報に従い、自装置の電源のＯＮ／ＯＦＦを切り替えたり、第１のＲＷ通信部２１を制御して検知処理の実行／休止を切り替えたり、第１のＲＷ通信部２１を制御して検知信号放出の実行／休止を切り替えたり、第１のＲＷ通信部２１を制御して検知信号の電波の出力値を切り替えたりする。
【００６８】
以上説明した本実施形態の通信システムによれば、作業者は、電子機器１を用いて、複数の制御対象リーダライタ（ＲＷ）１１乃至１Ｘの動作を個別に制御することができる。複数のリーダライタを利用する際に複数の制御対象リーダライタ（ＲＷ）１１乃至１Ｘを個別に操作するのは面倒である。本実施形態によれば、電子機器１を用いて複数の制御対象リーダライタ（ＲＷ）１１乃至１Ｘの動作を個別に制御できるので、このような不都合を軽減することができる。
【００６９】
また、作業毎に、検知処理の制御内容を予め登録しておけば、作業内容を選択する簡易な操作のみで、所望の態様、すなわち、所望の数の制御対象リーダライタ（ＲＷ）１１乃至１Ｘに、所望の出力値で検知信号の電波を放出させる態様での検知処理を迅速に開始させることができる。
【００７０】
また、本実施形態の場合、外部機器制御部３は、同時に検知処理を実行する制御対象リーダライタ（ＲＷ）１１乃至１Ｘの数に応じて、自動的に検知信号の電波の出力値を調整することができる。同時に検知処理を実行する制御対象リーダライタ（ＲＷ）１１乃至１Ｘの数が多くなるほど、出力値が小さくなるように調整することで、検知信号の干渉の問題を軽減することができる。
【００７１】
＜＜第２実施形態＞＞
本実施形態の通信システムは、第１の実施形態の構成を基本とし、電子機器１が、「複数の制御対象リーダライタ（ＲＷ）１１乃至１Ｘが同時に検知信号を放出しないように、複数の制御対象リーダライタ（ＲＷ）１１乃至１Ｘを制御する」ように構成している点で第１の実施形態と異なる。以下、第１の実施形態と異なる点のみを説明し、共通する点の説明は省略する。
【００７２】
＜電子機器１＞
本実施形態の電子機器１のハードウエア構成の一例は、第１の実施形態と同様に図３で示される。また、本実施形態の電子機器１の機能ブロック図の一例は、第１の実施形態と同様に図４で示される。
【００７３】
外部機器制御部３は、複数の制御対象リーダライタ（ＲＷ）１１乃至１Ｘが同時に検知信号を放出しないように、制御対象リーダライタの電源のＯＮ／ＯＦＦ、検知処理の実行／休止、及び、検知信号の放出の実行／休止の中の少なくとも１つを制御する。例えば、外部機器制御部３は、複数の制御対象リーダライタ（ＲＷ）１１乃至１Ｘの電源が同時にＯＮにならないように制御したり、複数の制御対象リーダライタ（ＲＷ）１１乃至１Ｘが同時に検知処理を実行しないように制御したり、又は、複数の制御対象リーダライタ（ＲＷ）１１乃至１Ｘが同時に検知信号の放出を実行しないように制御してもよい。
【００７４】
例えば、作業者が電子機器１を操作し、制御対象リーダライタ（ＲＷ）１１乃至１Ｘの中の２つ以上に検知処理を実行させる指示入力を行った場合の処理例を以下説明する。具体例としては、図２に示す電子機器１を操作して、制御対象リーダライタ（ＲＷ）１１乃至１３に検知処理を実行させる指示入力を行った場合などが該当する。
【００７５】
まず、第１の処理例について説明する。第１の処理例では、外部機器制御部３は、まず、検知処理を実行させる２つ以上の制御対象リーダライタ（ＲＷ）１１乃至１Ｘの中の第１の制御対象リーダライタ１１に検知処理を実行させる動作情報を含むリーダライタ制御信号を、通信部４を介して第１の制御対象リーダライタ（ＲＷ）１１に送信する。そして、その後、通信部４を介して第１の制御対象リーダライタ１１から検知処理を完了したことを示す完了通知を含むＲＷ返信信号を受信すると、その後、外部機器制御部３は、第１の制御対象リーダライタ１１に検知処理を休止させる動作情報を含むリーダライタ制御信号を、通信部４を介して第１の制御対象リーダライタ（ＲＷ）１１に送信する。また、外部機器制御部３は、第２の制御対象リーダライタ１２に検知処理を実行させる動作情報を含むリーダライタ制御信号を、通信部４を制御対象リーダライタ（ＲＷ）１２に送信する。
【００７６】
外部機器制御部３は同様の処理を繰り替えし、２つ以上の制御対象リーダライタ（ＲＷ）１１乃至１Ｘに順に検知処理を実行させる。
【００７７】
図１０に、第１の処理例における２つ以上の制御対象リーダライタ（ＲＷ）１１乃至１Ｘの検知処理実行／休止の時間変化を示す。図では、第１乃至第３の制御対象リーダライタ（ＲＷ）１１乃至１３が示されている。図示するように、第１の処理例によれば、第１乃至第３の制御対象リーダライタ（ＲＷ）１１乃至１３が同時に検知処理を実行することはない。すなわち、第１乃至第３の制御対象リーダライタ（ＲＷ）１１乃至１３が同時に検知信号を放出することはない。第１乃至第３の制御対象リーダライタ（ＲＷ）１１乃至１３が検知処理の完了に要する時間は異なりうるため、各々の実行時間は互いに異なりうる。
【００７８】
なお、「検知処理の完了」の概念については、以下で説明するのでここでは省略する。しかし、検知処理の完了に要する時間は、例えば数ｍ〜数百ｍｓｅｃとなるように設計することができる。このような時間間隔で複数の制御対象リーダライタ（ＲＷ）１１乃至１Ｘの検知処理の実行／休止を切り替えていけば、作業者に当該切り替え処理を意識させずにすむことができる。すなわち、作業者は、あたかも複数の制御対象リーダライタ（ＲＷ）１１乃至１Ｘが同時に検知処理を実行しているように感じることができる。
【００７９】
次に、第２の処理例について説明する。第２の処理例では、外部機器制御部３は、まず、検知処理を実行させる２つ以上の制御対象リーダライタ（ＲＷ）１１乃至１Ｘの中の第１の制御対象リーダライタ１１に検知処理を実行させる動作情報又は検知信号の放出を実行させる動作情報を含むリーダライタ制御信号を、通信部４を介して第１の制御対象リーダライタ（ＲＷ）１１に送信する。そして、送信から所定時間（設計的事項。例：数ｍ〜数百ｍｓｅｃ。）が経過すると、外部機器制御部３は、第１の制御対象リーダライタ１１に検知処理又は検知信号の放出を休止させる動作情報を含むリーダライタ制御信号を、通信部４を介して第１の制御対象リーダライタ（ＲＷ）１１に送信する。また、外部機器制御部３は、第２の制御対象リーダライタ１２に検知処理を実行させる動作情報又は検知信号の放出を実行させる動作情報を含むリーダライタ制御信号を、通信部４を制御対象リーダライタ（ＲＷ）１２に送信する。
【００８０】
外部機器制御部３は同様の処理を繰り替えし、２つ以上の制御対象リーダライタ（ＲＷ）１１乃至１Ｘに順に検知処理を実行させる。このような時間間隔で複数の制御対象リーダライタ（ＲＷ）１１乃至１Ｘの検知処理の実行／休止を切り替えていけば、作業者に当該切り替え処理を意識させずにすむことができる。すなわち、作業者は、あたかも複数の制御対象リーダライタ（ＲＷ）１１乃至１Ｘが同時に検知処理を実行しているように感じることができる。
【００８１】
図１１に、第２の処理例における２つ以上の制御対象リーダライタ（ＲＷ）１１乃至１Ｘの検知処理実行／休止の時間変化、又は、検知信号放出処理の実行／休止の時間変化を示す。図では、第１乃至第３の制御対象リーダライタ（ＲＷ）１１乃至１３が示されている。図示するように、第２の処理例によれば、第１乃至第３の制御対象リーダライタ（ＲＷ）１１乃至１３が同時に検知処理及び検知信号の放出を実行することはない。当該例の場合、電子機器１は、第１乃至第３の制御対象リーダライタ（ＲＷ）１１乃至１３各々が検知処理を実行時間する時間（長さ）又は検知信号の放出を実行する時間（長さ）を制御することができる。
【００８２】
次に、第３の処理例について説明する。第３の処理例では、外部機器制御部３は、２つ以上の制御対象リーダライタ（ＲＷ）１１乃至１Ｘ各々が検知処理の実行又は検知信号の放出の実行を開始するタイミング、及び、終了するタイミングを示した動作情報を含むリーダライタ制御信号を、通信部４を介して制御対象リーダライタ（ＲＷ）１１乃至１Ｘに送信する。動作情報は、２つ以上の制御対象リーダライタ（ＲＷ）１１乃至１Ｘが同時に検知処理又は検知信号の放出を実行しないように調整されている。
【００８３】
図１２に、当該例で２つ以上の制御対象リーダライタ（ＲＷ）１１乃至１Ｘに送信されるリーダライタ制御信号の例を示す。図示するリーダライタ制御信号は、リーダライタ識別情報と、検知処理又は検知信号の放出を開始するタイミングと、終了するタイミングとが示されている。図示するリーダライタ制御信号によれば、「０（制御対象リーダライタ（ＲＷ）１１乃至１Ｘがリーダライタ制御信号を受信した後の所定のタイミング）」から「Ｔ」までの時間は識別情報「×××」の制御対象リーダライタ（ＲＷ）１１乃至１Ｘが処理を実行し、「Ｔ」から「２Ｔ」までは識別情報「△△△」の制御対象リーダライタ（ＲＷ）１１乃至１Ｘが処理を実行し、「２Ｔ」から「３Ｔ」までは識別情報「□□□」の制御対象リーダライタ（ＲＷ）１１乃至１Ｘが処理を実行し、「３Ｔ」から「４Ｔ」までは再び識別情報「×××」の制御対象リーダライタ（ＲＷ）１１乃至１Ｘが処理を実行することが分かる。
【００８４】
当該例の場合、２つ以上の制御対象リーダライタ（ＲＷ）１１乃至１Ｘ各々が、リーダライタ制御信号に基づいて、処理の開始タイミング及び終了タイミングの到来を監視することとなる。
【００８５】
＜リーダライタ（ＲＷ）１１乃至１Ｘ＞
本実施形態のリーダライタ（ＲＷ）１１乃至１Ｘのハードウエア構成の一例は、第１の実施形態と同様に図８で示される。また、本実施形態のリーダライタ（ＲＷ）１１乃至１Ｘの機能ブロック図の一例は、第１の実施形態と同様に図９で示される。
【００８６】
自装置制御部２３は、リーダライタ制御信号に含まれている動作情報で示される動作内容を完了すると、第２のＲＷ通信部２２を制御して、完了したことを示すＲＷ返信信号を電子機器１に送信させる。
【００８７】
例えば、リーダライタ制御信号に検知処理を実行させる動作情報が含まれていた場合、自装置制御部２３は、自装置の第１のＲＷ通信部２１を制御して検知処理を実行させる。そして、検知処理を完了すると、自装置制御部２３は、第２のＲＷ通信部２２を制御して、完了したことを示すＲＷ返信信号を電子機器１に送信させる。
【００８８】
ここで、「検知処理の完了」について説明する。どのようなタイミングを検知処理の完了とするかは設計的事項であるが、上述のとおり、検知処理の完了に要する時間が例えば数ｍ〜数百ｍｓｅｃとなるように設計することができる。以下一例を説明する。
【００８９】
例えば、検知処理を実行するように制御された第１のＲＷ通信部２１は、ＲＦＩＤタグを検出するための検知信号を放出する（第１ステップ）。すると、この検知信号を受信した１つ以上のＲＦＩＤタグが、デバイス返信信号を送信する。第１のＲＷ通信部２１は、デバイス返信信号を受信することで、通信可能な範囲内に存在する１つ以上のＲＦＩＤタグを検知する（第２ステップ）。その後、第１のＲＷ通信部２１は、検知した１つ以上のＲＦＩＤタグの中の予め定められた所定数（例：すべて、８割以上、５割以上、１つ）と個別に順に通信し、収集対象情報を含むデバイス返信信号を受信する（第３ステップ）。第１のＲＷ通信部２１は、第３ステップが完了すると、検知処理を完了した旨を示す信号を自装置制御部２３に入力する（第４ステップ）。自装置制御部２３は、検知処理を完了した旨を示す信号が第１のＲＷ通信部２１から入力されると、第２のＲＷ通信部２２を制御して、検知処理を完了したことを示すＲＷ返信信号を電子機器１に送信させる（第５ステップ）。この例の場合、第３ステップの完了を、検知処理の完了としているが、これに限定されない。
【００９０】
次に、図１３のシーケンス図を用いて、上述した第１の処理例の処理の流れの一例を説明する。
【００９１】
例えば、作業者が電子機器１を操作し、第１乃至第３の制御対象リーダライタ（ＲＷ）１１乃至１３に検知処理を実行させる指示入力を行ったとする。
【００９２】
すると、当該入力に応じて、電子機器１の外部機器制御部３は、第１の制御対象リーダライタ１１に検知処理を実行させる動作情報を含むリーダライタ制御信号を、通信部４を介して第１の制御対象リーダライタ（ＲＷ）１１に送信する（Ｓ１）。
【００９３】
第１の制御対象リーダライタ（ＲＷ）１１は、Ｓ１で送信されたリーダライタ制御信号を、第２のＲＷ通信部２２を介して受信し、解析する（Ｓ２）。そして、第１の制御対象リーダライタ（ＲＷ）１１の自装置制御部２３は、受信したリーダライタ制御信号が自装置（第１の制御対象リーダライタ（ＲＷ）１１）に対する制御を示したものであることを確認すると（例：リーダライタ制御信号に含まれる識別情報と、自装置情報記憶部２０に記憶されている識別情報との照合）、リーダライタ制御信号を受信したことを示すＲＷ返信信号を、第２のＲＷ通信部２２を介して電子機器１に送信する（Ｓ３）。電子機器１は、Ｓ３で送信されたＲＷ返信信号を、通信部４を介して受信し、解析する（Ｓ７）。
【００９４】
Ｓ３の後、自装置制御部２３は、第１のＲＷ通信部２１に検知処理を開始させる（Ｓ４）。そして、自装置制御部２３は、検知処理が完了すると（Ｓ５）、第２のＲＷ通信部２２を介して、完了通知を含むＲＷ返信信号を電子機器１に送信する（Ｓ６）。電子機器１は、Ｓ６で送信されたＲＷ返信信号を、通信部４を介して受信し、解析する（Ｓ８）。
【００９５】
Ｓ８の後、電子機器１の外部機器制御部３は、第１の制御対象リーダライタ１１に検知処理を休止させる動作情報を含むリーダライタ制御信号を、通信部４を介して第１の制御対象リーダライタ（ＲＷ）１１に送信する（Ｓ９）。
【００９６】
第１の制御対象リーダライタ（ＲＷ）１１はＳ９で送信されたリーダライタ制御信号を、第２のＲＷ通信部２２を介して受信し、解析する（Ｓ１０）。そして、第１の制御対象リーダライタ（ＲＷ）１１の自装置制御部２３は、受信したリーダライタ制御信号が自装置（第１の制御対象リーダライタ（ＲＷ）１１）に対する制御を示したものであることを確認すると、リーダライタ制御信号を受信したことを示すＲＷ返信信号を、第２のＲＷ通信部２２を介して電子機器１に送信する（Ｓ１１）。電子機器１は、Ｓ１１で送信されたＲＷ返信信号を、通信部４を介して受信し、解析する（Ｓ１４）。
【００９７】
Ｓ１１の後、自装置制御部２３は、第１のＲＷ通信部２１に検知処理を休止させる（Ｓ１２）。そして、第１のＲＷ通信部２１が検知処理を休止すると（Ｓ１２）、自装置制御部２３は第２のＲＷ通信部２２を介して、完了通知を含むＲＷ返信信号を電子機器１に送信する（Ｓ１３）。電子機器１は、Ｓ１３で送信されたＲＷ返信信号を、通信部４を介して受信し、解析する（Ｓ１５）。
【００９８】
Ｓ１５の後、電子機器１の外部機器制御部３は、第２の制御対象リーダライタ１１に検知処理を実行させる動作情報を含むリーダライタ制御信号を、通信部４を介して第２の制御対象リーダライタ（ＲＷ）１２に送信する（Ｓ１６）。
【００９９】
以降、同様の処理を繰り返し、第１乃至第３の制御対象リーダライタ（ＲＷ）１１乃至１３が順に検知処理を実行する。
【０１００】
次に、図１４のシーケンス図を用いて、上述した第２の処理例の処理の流れの一例を説明する。
【０１０１】
例えば、作業者が電子機器１を操作し、第１乃至第３の制御対象リーダライタ（ＲＷ）１１乃至１３に検知処理を実行させる指示入力を行ったとする。
【０１０２】
すると、当該入力に応じて、電子機器１の外部機器制御部３は、第１の制御対象リーダライタ１１に検知処理を実行させる動作情報を含むリーダライタ制御信号を、通信部４を介して第１の制御対象リーダライタ（ＲＷ）１１に送信する（Ｓ１０１）。
【０１０３】
第１の制御対象リーダライタ（ＲＷ）１１は、Ｓ１０１で送信されたリーダライタ制御信号を、第２のＲＷ通信部２２を介して受信し、解析する（Ｓ１０２）。そして、第１の制御対象リーダライタ（ＲＷ）１１の自装置制御部２３は、受信したリーダライタ制御信号が自装置（第１の制御対象リーダライタ（ＲＷ）１１）に対する制御を示したものであることを確認すると（例：リーダライタ制御信号に含まれる識別情報と、自装置情報記憶部２０に記憶されている識別情報との照合）、リーダライタ制御信号を受信したことを示すＲＷ返信信号を、第２のＲＷ通信部２２を介して電子機器１に送信する（Ｓ１０３）。電子機器１は、Ｓ１０３で送信されたＲＷ返信信号を、通信部４を介して受信し、解析する（Ｓ１０５）。Ｓ１０３の後、自装置制御部２３は、第１のＲＷ通信部２１に検知処理を開始させる（Ｓ１０４）。
【０１０４】
一方、電子機器１の外部機器制御部３は、所定のタイミング（例：Ｓ１０１のリーダライタ制御信号の送信、Ｓ１０５のＲＷ返信信号の受信等）からの経過時間を監視し、所定のタイミングからの所定時間の経過を検知する（Ｓ１０６）。そして、外部機器制御部３は、所定時間の経過を検知すると、第１の制御対象リーダライタ１１に検知処理を休止させる動作情報を含むリーダライタ制御信号を、通信部４を介して第１の制御対象リーダライタ（ＲＷ）１１に送信する（Ｓ１０７）。また、外部機器制御部３は、第２の制御対象リーダライタ１１に検知処理を実行させる動作情報を含むリーダライタ制御信号を、通信部４を介して第２の制御対象リーダライタ（ＲＷ）１２に送信する（Ｓ１０８）。
【０１０５】
第１の制御対象リーダライタ（ＲＷ）１１はＳ１０７で送信されたリーダライタ制御信号を、第２のＲＷ通信部２２を介して受信し、解析する（Ｓ１０９）。そして、第１の制御対象リーダライタ（ＲＷ）１１の自装置制御部２３は、受信したリーダライタ制御信号が自装置（第１の制御対象リーダライタ（ＲＷ）１１）に対する制御を示したものであることを確認すると、リーダライタ制御信号を受信したことを示すＲＷ返信信号を、第２のＲＷ通信部２２を介して電子機器１に送信する（Ｓ１１１）。電子機器１は、Ｓ１１１で送信されたＲＷ返信信号を、通信部４を介して受信し、解析する（Ｓ１１３）。
【０１０６】
また、第２の制御対象リーダライタ（ＲＷ）１２は、Ｓ１０８で送信されたリーダライタ制御信号を、第２のＲＷ通信部２２を介して受信し、解析する（Ｓ１１０）。そして、第２の制御対象リーダライタ（ＲＷ）１２の自装置制御部２３は、受信したリーダライタ制御信号が自装置（第２の制御対象リーダライタ（ＲＷ）１２）に対する制御を示したものであることを確認すると、リーダライタ制御信号を受信したことを示すＲＷ返信信号を、第２のＲＷ通信部２２を介して電子機器１に送信する（Ｓ１１２）。電子機器１は、Ｓ１１２で送信されたＲＷ返信信号を、通信部４を介して受信し、解析する（Ｓ１１３）。
【０１０７】
Ｓ１１１の後、第１の制御対象リーダライタ（ＲＷ）１１の自装置制御部２３は、第１のＲＷ通信部２１に検知処理を休止させる（Ｓ１１４）。また、Ｓ１１２の後、第２の制御対象リーダライタ（ＲＷ）１２の自装置制御部２３は、第１のＲＷ通信部２１に検知処理を開始させる（Ｓ１１５）。
【０１０８】
以降、同様の処理を繰り返し、第１乃至第３の制御対象リーダライタ（ＲＷ）１１乃至１３が順に検知処理を実行する。
【０１０９】
以上説明した本実施形態の通信システムによれば、複数の制御対象リーダライタ（ＲＷ）１１乃至１Ｘが同時に検知信号を放出しないように、複数の制御対象リーダライタ（ＲＷ）１１乃至１Ｘの動作を制御することができる。結果、複数の制御対象リーダライタ（ＲＷ）１１乃至１Ｘが放出する検知信号（電波）、及び、当該検知信号を受信したＲＦＩＤタグを放出したデバイス返信信号（電波）が干渉する不都合を軽減することができる。
【０１１０】
また、本実施形態の通信システムによれば、第１の実施形態と同様の作用効果を実現することができる。
【０１１１】
＜＜第３の実施形態＞＞
まず、本実施形態の通信システムの概要及び全体像について説明する。図１に示すように、本実施形態の通信システムは、１つの電子機器１と、当該電子機器１と無線通信可能な１つ以上のリーダライタ（ＲＷ）１１乃至１Ｘとを有する。
【０１１２】
リーダライタ（ＲＷ）１１乃至１Ｘは、デバイス（ＲＦＩＤタグを有するデバイス）を検知するための検知信号を放出するとともに、検知信号を受信したＲＦＩＤタグ（デバイス）から放出されたデバイス返信信号を受信する検知処理を実行する。そして、リーダライタ（ＲＷ）１１乃至１Ｘは、受信したデバイス返信信号に含まれている収集対象情報（例：ＲＦＩＤタグやデバイスの識別情報等）や収集対象情報の属性情報（収集対象情報を取得した時間・位置等）を、所定のタイミングで電子機器１に送信する。
【０１１３】
電子機器１は、１つ以上のリーダライタ（ＲＷ）１１乃至１Ｘから収集対象情報及びその属性情報等を取得し、取得した情報を管理する。
【０１１４】
ところで、電子機器１とリーダライタ（ＲＷ）１１乃至１Ｘとの間の無線通信には、意図しないタイミングで通信トラブルが発生し得る。理由としては様々であるが、例えば、電子機器１とリーダライタ（ＲＷ）１１乃至１Ｘとの距離が離れすぎたことや、電子機器１又はリーダライタ（ＲＷ）１１乃至１Ｘのいずれかに故障が発生したことや、いずれかの電源が切れたことなどが挙げられる。
【０１１５】
このようなトラブルは、リーダライタ（ＲＷ）１１乃至１Ｘから電子機器１に収集対象情報を送信している間に起こる場合もある。かかる場合、リーダライタ（ＲＷ）１１乃至１Ｘが送信済みの収集対象情報を、電子機器１が正常に取得できていないなどの事態が発生しうる。結果、リーダライタ（ＲＷ）１１乃至１Ｘで読み取った収集対象情報が、電子機器１で正確に管理されない、すなわち、リーダライタ（ＲＷ）１１乃至１Ｘで読み取った収集対象情報の一部が電子機器１で管理している情報群の中に存在しないという不都合が発生しうる。本実施形態の通信システムは、このような不都合を回避可能に構成されている。
【０１１６】
＜電子機器１＞
本実施形態の電子機器１のハードウエア構成の一例は、第１及び第２の実施形態と同様に図３で示される。本実施形態の電子機器１の機能ブロック図の一例は、図１５で示される。
【０１１７】
図１５に示すように、本実施形態の電子機器１は、識別情報記憶部２と、通信部４と、管理側収集対象情報記憶部８と、管理側収集対象情報管理部９とを有する。なお、電子機器１は、外部機器制御部３をさらに有してもよい。識別情報記憶部２、外部機器制御部３及び通信部４の構成は、第１及び第２の実施形態と同様であるので、ここでの説明は省略する。
【０１１８】
通信部４は、制御対象リーダライタ（ＲＷ）１１乃至１Ｘが送信した収集対象情報（例：ＲＦＩＤタグやデバイスの識別情報等）を受信する。なお、通信部４は、収集対象情報に加えて、収集対象情報の属性情報（収集対象情報を取得した時間・位置等）をも受信してもよい。管理側収集対象情報管理部９は、通信部４が受信した収集対象情報及びその属性情報を、管理側収集対象情報記憶部８に記憶させる。
【０１１９】
また、管理側収集対象情報管理部９は、収集対象情報及びその属性情報を正常に取得（すべての内容を認識できる状態で取得）できると、その旨を示す電子機器返信信号を、通信部４を介して制御対象リーダライタ（ＲＷ）１１乃至１Ｘに送信する。電子機器返信信号には、例えば、正常に取得できた収集対象情報を識別する情報が含まれていてもよい。
【０１２０】
また、管理側収集対象情報管理部９は、制御対象リーダライタ（ＲＷ）１１乃至１Ｘからの問い合わせに対して、所定の期間内に正常に取得できた１つ以上の収集対象情報を識別する情報を含んだ電子機器返信信号を返信してもよい。これを実現するために、管理側収集対象情報管理部９は、管理側収集対象情報記憶部８に記憶させる収集対象情報に、制御対象リーダライタ（ＲＷ）１１乃至１Ｘから取得した時間を示す情報を対応付けておいてもよい。
【０１２１】
なお、第１の制御対象リーダライタ（ＲＷ）１１乃至１Ｘからの問い合わせに対する回答（電子機器返信信号）は、所定の期間内に第１の制御対象リーダライタ（ＲＷ）１１乃至１Ｘから正常に取得した収集対象情報を識別する情報のみを含んだものであってもよいし、所定の期間内に第１の制御対象リーダライタ（ＲＷ）１１乃至１Ｘを含む複数の制御対象リーダライタ（ＲＷ）１１乃至１Ｘから正常に取得した収集対象情報を識別する情報を含んだものであってもよい。前者を実現するために、管理側収集対象情報管理部９は、管理側収集対象情報記憶部８に記憶させる収集対象情報に、いずれの制御対象リーダライタ（ＲＷ）１１乃至１Ｘから取得した情報であるかを示す情報を対応付けておいてもよい。
【０１２２】
＜リーダライタ（ＲＷ）１１乃至１Ｘ＞
本実施形態のリーダライタ（ＲＷ）１１乃至１Ｘのハードウエア構成の一例は、第１及び第２の実施形態と同様に図８で示される。本実施形態のリーダライタ（ＲＷ）１１乃至１Ｘの機能ブロック図の一例は、図１６で示される。
【０１２３】
図１６に示すように、本実施形態のリーダライタ（ＲＷ）１１乃至１Ｘは、第１のＲＷ通信部２１と、第２のＲＷ通信部２２と、収集対象情報記憶部２４と、収集対象情報管理部２５とを有する。なお、リーダライタ（ＲＷ）１１乃至１Ｘは、自装置制御部２３をさらに有してもよい。第１のＲＷ通信部２１及び自装置制御部２３の構成は第１及び第２の実施形態と同様であるので、ここでの説明は省略する。
【０１２４】
第２のＲＷ通信部２２は、第１のＲＷ通信部２１がデバイス返信信号を受信すると、当該信号に含まれている収集対象情報を示す情報信号を、電子機器１に送信する。なお、第２のＲＷ通信部２２は、情報信号の中に、収集対象情報の属性情報を含めてもよい。
【０１２５】
属性情報は、例えば、第１のＲＷ通信部２１がデバイス返信信号を受信した時刻や位置を示す情報であってもよい。時刻情報は、リーダライタ（ＲＷ）１１乃至１Ｘ内に備えられた時計部から取得してもよい。位置情報は、リーダライタ（ＲＷ）１１乃至１Ｘが位置情報取得機能（例：ＧＰＳ（Global Positioning System）機能）を有する場合には、当該位置情報取得機能から取得してもよい。
【０１２６】
第２のＲＷ通信部２２が電子機器１に情報信号を送信するタイミングは様々である。例えば、第１のＲＷ通信部２１がデバイス返信信号を受信した際に、電子機器１と第２のＲＷ通信部２２との無線通信が可能である場合、第２のＲＷ通信部２２は、リアルタイムに情報信号を電子機器１に送信してもよい。一方、第１のＲＷ通信部２１がデバイス返信信号を受信した際に、電子機器１と第２のＲＷ通信部２２との無線通信が不可能である場合、その間に第１のＲＷ通信部２１が受信したデバイス返信信号に含まれている収集対象情報及びその属性情報は収集対象情報記憶部２４に記憶されてもよい。そして、その後に電子機器１と第２のＲＷ通信部２２とが無線通信可能になった任意のタイミングで、第２のＲＷ通信部２２は、収集対象情報記憶部２４に記憶されている収集対象情報及びその属性情報を含む情報信号を電子機器１に送信してもよい。なお、収集対象情報記憶部２４は、不揮発性の記憶装置である。
【０１２７】
なお、第２のＲＷ通信部２２は、電子機器１から送信されてきた電子機器返信信号を受信する。電子機器返信信号には、収集対象情報及びその属性情報を正常に取得できた旨を示す情報や、所定の期間内に電子機器１が制御対象リーダライタ（ＲＷ）１１乃至１Ｘから正常に取得できた１つ以上の収集対象情報を識別する情報等が含まれる。
【０１２８】
収集対象情報管理部２５は、第１のＲＷ通信部２１が取得した収集対象情報、また、収集対象情報記憶部２４に記憶されている収集対象情報を管理する。例えば、第１のＲＷ通信部２１が取得した収集対象情報を収集対象情報記憶部２４（不揮発性記憶装置１８Ａ）に記憶させたり、第１のＲＷ通信部２１が取得した収集対象情報を収集対象情報記憶部２４（不揮発性記憶装置１８Ａ）に記憶させることなく削除（ＲＡＭ１２Ａから削除）したり、また、収集対象情報記憶部２４（不揮発性記憶装置１８Ａ）に記憶されている収集対象情報を削除したりすることができる。収集対象情報管理部２５は、さらに収集対象情報の属性情報を同様に管理できる。以下、管理内容の例を説明する。
【０１２９】
第１の例として、第１のＲＷ通信部２１が収集対象情報を含むデバイス返信信号を受信した際に、電子機器１と第２のＲＷ通信部２２との無線通信が不可能である場合を考える。この場合、収集対象情報管理部２５は、第１のＲＷ通信部２１が受信したデバイス返信信号に含まれている収集対象情報及びその属性情報を、収集対象情報記憶部２４に記憶させる。
【０１３０】
当該例の場合、第２のＲＷ通信部２２は、その後に電子機器１と無線通信可能になった任意のタイミングで、収集対象情報記憶部２４に記憶されている収集対象情報及びその属性情報を含む情報信号を、電子機器１に送信する。その後、収集対象情報管理部２５は、第２のＲＷ通信部２２が送信した収集対象情報が電子機器１に正常に取得されたか確認する。例えば、収集対象情報管理部２５は、第２のＲＷ通信部２２が受信する電子機器返信信号に基づいて、所定の収集対象情報が正常に取得されたことを確認する。そして、収集対象情報管理部２５は、電子機器１に正常に取得されたことを確認できた収集対象情報及びその属性情報を、収集対象情報記憶部２４から削除する。
【０１３１】
例えば、電子機器１は、収集対象情報及びその属性情報を正常に取得すると、その後の任意のタイミング（例：所定個数（例：１個）の収集対象情報の取得が正常に完了した時点）で当該収集対象情報を正常に取得したことを示す電子機器返信信号を第２のＲＷ通信部２２に返信してもよい。そして、収集対象情報管理部２５は、このように送信されてきた電子機器返信信号に基づいて、所定の収集対象情報が正常に取得されたことを確認してもよい。
【０１３２】
その他、収集対象情報管理部２５は、任意のタイミングで、所定の期間内に正常に取得した収集対象情報を問い合わせる問い合わせ信号を、第２のＲＷ通信部２２を介して電子機器１に送信してもよい。所定の期間は、現時点を起点にした時間で表現してもよいし（例：現時点から５分前）、時刻で表現してもよい（例：２０１３年１１月１日１３時〜１３時５分）。そして、その問い合わせ結果を第２のＲＷ通信部２２が受信すると、収集対象情報管理部２５は、その結果に基づいて、所定の収集対象情報が正常に取得されたことを確認してもよい。例えば、収集対象情報管理部２５は、問い合わせ結果において正常に取得されたことが示されている収集対象情報が、収集対象情報記憶部２４に記憶されていないか確認する。そして、収集対象情報記憶部２４に記憶されている場合には、その収集対象情報及びその属性情報を収集対象情報記憶部２４から削除する。
【０１３３】
なお、収集対象情報管理部２５は、電子機器１に正常に取得されたことを確認できない収集対象情報及びその属性情報は、収集対象情報記憶部２４にそのまま記憶させておく。そして、第２のＲＷ通信部２２は、当該収集対象情報を任意のタイミングで電子機器１に再送する。
【０１３４】
第２の例として、第１のＲＷ通信部２１が収集対象情報を含むデバイス返信信号を受信した際に、電子機器１と第２のＲＷ通信部２２との無線通信が可能である場合を考える。この場合、第２のＲＷ通信部２２は、第１のＲＷ通信部２１が取得したデバイス返信信号に含まれる収集対象情報及びその属性情報を、リアルタイムに電子機器１に送信する。その後、収集対象情報管理部２５は、第２のＲＷ通信部２２が送信した収集対象情報が電子機器１に正常に取得されたか確認する。例えば、収集対象情報管理部２５は、第２のＲＷ通信部２２が受信する電子機器返信信号に基づいて、所定の収集対象情報が正常に取得されたことを確認する。この間、収集対象情報及びその属性情報は、ＲＡＭ１２Ａに記憶されておいてもよい。そして、収集対象情報管理部２５は、電子機器１に正常に取得されたことを確認できた収集対象情報及びその属性情報を、ＲＡＭ１２Ａから削除する。
【０１３５】
一方、収集対象情報管理部２５は、電子機器１に正常に取得されたことを確認できなかった収集対象情報及びその属性情報については、収集対象情報記憶部２４（不揮発性記憶装置１８Ａ）に記憶させる。そして、第２のＲＷ通信部２２は、その後の任意のタイミングで収集対象情報記憶部２４に記憶されている収集対象情報及びその属性情報を電子機器１に再送する。収集対象情報管理部２５は、この収集対象情報及び属性情報が正常に電子機器１に受信されたことを確認すると、それらを収集対象情報記憶部２４から削除する。
【０１３６】
なお、収集対象情報管理部２５は、収集対象情報記憶部２４に記憶されたデータ量が所定の閾値を超えた場合、警告を発してもよい。警告は、スピーカ、ランプ、ディスプレイなどのあらゆる出力装置を利用することができる。
【０１３７】
以上説明した本実施形態の通信システムによれば、リーダライタ（ＲＷ）１１乃至１Ｘで読み取った収集対象情報を、確実に、電子機器１に渡すことができる。結果、リーダライタ（ＲＷ）１１乃至１Ｘで読み取った収集対象情報の一部が、電子機器１で管理している情報群の中に存在しないという不都合を軽減することができる。
【０１３８】
また、本実施形態の通信システムによれば、電子機器１が外部機器制御部３を備え、リーダライタ（ＲＷ）１１乃至１Ｘが自装置情報記憶部２０及び自装置制御部２３を備えることで、第１及び第２の実施形態と同様の作用効果を実現することができる。
【０１３９】
＜＜第４の実施形態＞＞
まず、本実施形態の通信システムの概要及び全体像について説明する。図１に示すように、本実施形態の通信システムは、１つの電子機器１と、当該電子機器１と無線通信可能な１つ以上のリーダライタ（ＲＷ）１１乃至１Ｘとを有する。
【０１４０】
リーダライタ（ＲＷ）１１乃至１Ｘは、デバイス（ＲＦＩＤタグを有するデバイス）を検知するための検知信号を放出するとともに、検知信号を受信したＲＦＩＤタグ（デバイス）から放出されたデバイス返信信号を受信する検知処理を実行する。そして、リーダライタ（ＲＷ）１１乃至１Ｘは、受信したデバイス返信信号に含まれている収集対象情報（例：ＲＦＩＤタグやデバイスの識別情報等）や収集対象情報の属性情報（収集対象情報を取得した時間等）を、所定のタイミングで電子機器１に送信する。
【０１４１】
電子機器１は、１つ以上のリーダライタ（ＲＷ）１１乃至１Ｘから収集対象情報及びその属性情報等を取得し、取得した情報を管理する。
【０１４２】
ところで、「リーダライタ（ＲＷ）１１乃至１Ｘがデバイス（ＲＦＩＤタグを有するデバイス）から収集対象情報を取得した位置」を管理したい場合がある。リーダライタ（ＲＷ）１１乃至１Ｘ各々が十分な精度の位置情報取得機能（例：ＧＰＳ機能）を有していれば、当該機能を利用して、収集対象情報を取得した位置を示す位置情報を収集することができる。しかし、リーダライタ（ＲＷ）１１乃至１Ｘが位置情報取得機能を有していない場合がある。また、リーダライタ（ＲＷ）１１乃至１Ｘが備える位置情報取得機能の性能が良くなく、位置情報の精度が所望のレベルに達しない場合もありえる。本実施形態の通信システムは、このような場合であっても、リーダライタ（ＲＷ）１１乃至１Ｘがデバイス（ＲＦＩＤタグを有するデバイス）から収集対象情報を取得した位置を十分な制度で管理することができる。
【０１４３】
＜電子機器１＞
本実施形態の電子機器１のハードウエア構成の一例は、第１乃至第３の実施形態と同様に図３で示される。本実施形態の電子機器１の機能ブロック図の一例は、図１７で示される。なお、電子機器１は可搬型の端末であり、リーダライタ（ＲＷ）１１乃至１Ｘを用いた作業を行う作業者に保持される。
【０１４４】
図１７に示すように、本実施形態の電子機器１は、位置情報取得部５と、第２の時刻情報取得部６と、位置・時刻情報記憶部７とを有する。なお、電子機器１は、識別情報記憶部２、外部機器制御部３、通信部４、管理側収集対象情報記憶部８及び管理側収集対象情報管理部９をさらに有してもよい。識別情報記憶部２、外部機器制御部３、通信部４、管理側収集対象情報記憶部８及び管理側収集対象情報管理部９の構成は、第１乃至第３の実施形態と同様であるので、ここでの説明は省略する。
【０１４５】
位置情報取得部５は、現在の位置情報を取得する。位置情報取得部５は、例えば、ＧＰＳ情報、基地局情報、Ｗｉ−Ｆｉ（登録商標）のアクセスポイント情報等を利用して、現在の位置情報を取得することができる。位置情報取得部５は、任意のタイミングで位置情報を取得する。例えば、ユーザから位置情報取得指示入力を受付けた後、又は、第１の実施形態で説明した１つ以上の制御対象リーダライタ（ＲＷ）１１乃至１Ｘに検知処理を実行させる指示入力を受付けた後、所定の時間間隔（例：３０秒おき、１分おき、３分おきなど）で位置情報を取得する。以下、このようにして位置情報取得部５が取得した位置情報を、第１の位置情報という。
【０１４６】
その他、例えば、電子機器１とリーダライタ（ＲＷ）１１乃至１Ｘとを用いて所定の作業を行う作業者が、作業開始前に電子機器１を操作してこれから行う作業内容及び作業を開始する入力を行い、当該作業が完了すると作業を終了する入力を行うようになっている場合、位置情報取得部５は、ここで入力された作業内容に基づいて位置情報を取得してもよい。例えば、作業者が行う作業の中に、所定の荷物センターでの積荷や荷下し等、決まった場所での作業が存在する場合、予め作業者は、その決まった場所の住所を電子機器１に登録しておくことができる。そして、作業者が電子機器１を操作してその決まった場所での作業をこれから開始する入力を行うと、位置情報取得部５は、登録されているその場所の住所を現在の位置情報として取得する。以下、このようにして位置情報取得部５が取得した位置情報を、第２の位置情報という。
【０１４７】
位置情報取得部５は、第１の位置情報及び第２の位置情報いずれか一方のみを取得するよう構成してもよいし、両方を取得するように構成してもよい。
【０１４８】
第２の時刻情報取得部６は、位置情報取得部５が位置情報に対応する時刻を示す時刻情報（以下、「第２の時刻情報」）を取得する。例えば、第２の時刻情報取得部６は、位置情報取得部５が第１の位置情報を取得した場合、各位置情報を取得した時刻を示す第２の時刻情報を取得する。一方、第２の時刻情報取得部６は、位置情報取得部５が第２の位置情報を取得した場合、その位置での作業の開始時刻（作業者が作業の開始を入力した時刻）、及び、作業の終了時刻（作業者が作業の終了を入力した時刻）を示す第２の時刻情報を取得する。例えば、電子機器１の内部に時計部が存在する場合、第２の時刻情報取得部６は当該時計部から第２の時刻情報を取得することができる。
【０１４９】
位置・時刻情報記憶部７は、位置情報取得部５が取得した位置情報と、第２の時刻情報取得部６が取得した第２の時刻情報とを対応付けた対応情報（以下、「第２の対応情報」）を記憶する。図１８に、第２の対応情報の構成例を示す。
【０１５０】
＜リーダライタ（ＲＷ）１１乃至１Ｘ＞
本実施形態のリーダライタ（ＲＷ）１１乃至１Ｘのハードウエア構成の一例は、第１乃至第３の実施形態と同様に図８で示される。本実施形態のリーダライタ（ＲＷ）１１乃至１Ｘの機能ブロック図の一例は、図１９で示される。
【０１５１】
図１９に示すように、本実施形態のリーダライタ（ＲＷ）１１乃至１Ｘは、第１のＲＷ通信部２１と、第１の時刻情報取得部２６と、収集情報・時刻記憶部２７とを有する、なお、リーダライタ（ＲＷ）１１乃至１Ｘは、第２のＲＷ通信部２２、自装置制御部２３、収集対象情報記憶部２４及び収集対象情報管理部２５をさらに有してもよい。第１のＲＷ通信部２１、第２のＲＷ通信部２２、自装置制御部２３、収集対象情報記憶部２４及び収集対象情報管理部２５の構成は第１乃至第３の実施形態と同様であるので、ここでの説明は省略する。
【０１５２】
第１の時刻情報取得部２６は、第１のＲＷ通信部２１が受信したデバイス返信信号に対応する時刻を示す時刻情報（以下、「第１の時刻情報」）を取得する。第１の時刻情報は、例えば、第１のＲＷ通信部２１がデバイス返信信号を受信した時刻を示す情報である。例えば、リーダライタ（ＲＷ）１１乃至１Ｘの内部に時計部が存在する場合、第１のＲＷ通信部２１は当該時計部から第１の時刻情報を取得することができる。
【０１５３】
なお、図示しないが、リーダライタ（ＲＷ）１１乃至１Ｘは、現在の位置情報を取得する機能を備えてもよい。そして、リーダライタ（ＲＷ）１１乃至１Ｘは、第１のＲＷ通信部２１がデバイス返信信号を受信した位置を示す位置情報を取得してもよい。
【０１５４】
収集情報・時刻記憶部２７は、第１のＲＷ通信部２１が受信したデバイス返信信号に含まれる収集対象情報と、第１の時刻情報取得部２６が取得した第１の時刻情報とを対応付けた対応情報（以下、「第１の対応情報」）を記憶する。図２０に、第１の対応情報の構成例を示す。なお、リーダライタ（ＲＷ）１１乃至１Ｘが現在の位置情報を取得する機能を備えている場合には、収集情報・時刻記憶部２７は、収集対象情報に、さらに位置情報を対応付けて記憶してもよい。
【０１５５】
本実施形態の通信システムは、電子機器１の位置・時刻情報記憶部７に記憶されている第２の対応情報（図１８参照）と、リーダライタ（ＲＷ）１１乃至１Ｘの収集情報・時刻記憶部２７に記憶されている第１の対応情報（図２０参照）とを用いて、収集対象情報と位置情報とを対応付ける対応付け部を有する。対応付け部は、電子機器１が備えてもよいし、その他の機器が備えてもよい。対応付け部を有する機器は、有線及び／又は無線での通信や、他の記憶装置を介した情報の受け渡しなどにより、位置・時刻情報記憶部７に記憶されている情報と、収集情報・時刻記憶部２７情報とを取得する。以下、対応付け部による処理の一例を説明する。
【０１５６】
まず、対応付け部は、第１の対応情報（図２０参照）に含まれている時刻情報で特定される第１の時刻と完全に一致する時刻の時刻情報を含む第２の対応情報（図１８参照）を検索する。存在する場合、対応付け部は、第１の時刻の時刻情報を含む第１の対応情報に含まれる収集対象情報と、第１の時刻の時刻情報を含む第２の対応情報に含まれる位置情報とを対応付ける。
【０１５７】
なお、上述のとおり、位置情報取得部５は、第１の位置情報及び第２の位置情報の両方を取得するように構成することができる。この場合、第１の時刻の時刻情報を含む第２の対応情報（図１８参照）が複数存在しうる。第１の時刻の時刻情報を含む第２の対応情報（図１８参照）が複数存在する場合、対応付け部は、第１の時刻の時刻情報を含む第１の対応情報に含まれる収集対象情報と、第１の時刻の時刻を含む複数の第２の対応情報の中の、第２の位置情報を含む第２の対応情報の位置情報とを対応付けてもよい。このように構成したほうが、位置情報の精度が高くなると期待される。
【０１５８】
一方、第１の時刻の時刻情報を含む第２の対応情報が存在しない場合、対応付け部は、第１の時刻に最も近い時刻の時刻情報を含む第２の対応情報（図１８参照）を検索する。そして、第１の時刻の時刻情報を含む第１の対応情報に含まれる収集対象情報と、検索した第２の対応情報に含まれる位置情報とを対応付ける。
【０１５９】
なお、第１の時刻の時刻情報を含む第２の対応情報が存在しない場合、かつ、収集情報・時刻記憶部２７にリーダライタ（ＲＷ）１１乃至１Ｘ各々が取得した位置情報が記憶されている場合には、対応付け部は、第１の時刻の時刻情報を含む第１の対応情報に含まれる収集対象情報に、収集情報・時刻記憶部２７において対応付けられていた位置情報（制御対象リーダライタ（ＲＷ）１１乃至１Ｘが取得した位置情報）をそのまま対応付けてもよい。リーダライタ（ＲＷ）１１乃至１Ｘが取得する位置情報は、電子機器１が取得する位置情報に比べて精度が落ちる。しかし、第１の対応情報（図２０参照）に含まれている第１の時刻と完全に一致する時刻を含む第２の対応情報（図１８参照）がない場合には、リーダライタ（ＲＷ）１１乃至１Ｘが取得した位置情報を採用することもできる。
【０１６０】
以上説明した本実施形態によれば、リーダライタ（ＲＷ）１１乃至１Ｘが位置情報取得機能を有していない場合であっても、リーダライタ（ＲＷ）１１乃至１Ｘが取得した収集対象情報に、当該情報を取得した位置を対応付けることが可能となる。
【０１６１】
また、リーダライタ（ＲＷ）１１乃至１Ｘが位置情報取得機能を有している場合であっても、当該位置情報取得機能で取得した位置情報よりも精度が高い位置情報を、収集対象情報に対応付けることができる。
【０１６２】
また、本実施形態の通信システムによれば、電子機器１が識別情報記憶部２及び外部機器制御部３を備え、リーダライタ（ＲＷ）１１乃至１Ｘが自装置情報記憶部２０、第２のＲＷ通信部２２及び自装置制御部２３を備えることで、第１及び第２の実施形態と同様の作用効果を実現することができる。
【０１６３】
また、本実施形態の通信システムによれば、電子機器１が識別情報記憶部２、通信部４、管理側収集対象情報記憶部８及び管理側収集対象情報管理部９を備え、リーダライタ（ＲＷ）１１乃至１Ｘが第２のＲＷ通信部２２、収集対象情報記憶部２４及び収集対象情報管理部２５を備えることで、第３の実施形態と同様の作用効果を実現することができる。
【０１６４】
以下、参考形態の例を付記する。
１．  デバイスを検知するための検知信号を放出するとともに、前記検知信号を受信したデバイスから放出されたデバイス返信信号を受信する検知処理を実行するリーダライタの識別情報を１つ以上記憶する識別情報記憶手段と、
前記識別情報記憶手段に前記識別情報を記憶されている前記リーダライタである制御対象リーダライタの動作を個別に制御する外部機器制御手段と、
前記制御対象リーダライタと通信可能に構成されており、前記外部機器制御手段の制御に従い、前記制御対象リーダライタに実行させる動作内容を示した動作情報を含むリーダライタ制御信号を、前記制御対象リーダライタに送信する通信手段と、
を有する電子機器。
２．  １に記載の電子機器において、
前記外部機器制御手段は、前記制御対象リーダライタの電源のＯＮ／ＯＦＦ、前記検知処理の実行／休止、前記検知信号放出の実行／休止、及び、前記検知信号の電波の出力値の中の少なくとも１つを制御する電子機器。
３．  ２に記載の電子機器において、
前記外部機器制御手段は、複数の前記制御対象リーダライタが同時に前記検知信号を放出しないように、前記制御対象リーダライタの電源のＯＮ／ＯＦＦ、前記検知処理の実行／休止、及び、前記検知信号の放出の実行／休止の中の少なくとも１つを制御する電子機器。
４．  ３に記載の電子機器において、
前記外部機器制御手段は、
第１の前記制御対象リーダライタに前記検知処理を実行させる前記動作情報を含む前記リーダライタ制御信号を前記通信手段に送信させ、その後、前記通信手段が前記第１の制御対象リーダライタから前記検知処理を完了したことを示す完了通知を含むＲＷ返信信号を受信すると、その後、前記第１の制御対象リーダライタに前記検知処理を休止させる前記動作情報を含む前記リーダライタ制御信号を前記通信手段に送信させるとともに、第２の前記制御対象リーダライタに前記検知処理を実行させる前記動作情報を含む前記リーダライタ制御信号を前記通信手段に送信させる電子機器。
５．  ３に記載の電子機器において、
前記外部機器制御手段は、
複数の前記制御対象リーダライタ各々が前記検知処理の実行又は前記検知信号の放出の実行を開始するタイミング及び終了するタイミングを示した前記動作情報を含む前記リーダライタ制御信号を前記通信手段に送信させ、
前記動作情報は、複数の前記制御対象リーダライタが同時に前記検知処理又は前記検知信号の放出を実行しないように調整されている電子機器。
６．  ２に記載の電子機器において、
前記外部機器制御手段は、Ｘ個（Ｘは２以上の整数）の前記制御対象リーダライタが同時に前記検知処理を実行する又は同時に前記検知信号の放出を実行するように制御する場合の前記検知信号の電波の出力値が、Ｘ個よりも少ない数の前記制御対象リーダライタが前記検知処理を実行する又は前記検知信号の放出を実行するように制御する場合の前記検知信号の電波の出力値よりも小さくなるように、前記検知信号の電波の出力値を制御する電子機器。
７．  デバイスを検知するための検知信号を放出するとともに、前記検知信号を受信したデバイスから放出されたデバイス返信信号を受信する検知処理を実行する第１のＲＷ通信手段と、
所定の電子機器と通信可能に構成された第２のＲＷ通信手段と、
前記第２のＲＷ通信手段が前記電子機器から送信された、実行すべき動作内容を示した動作情報を含むリーダライタ制御信号を受信すると、当該動作情報で示される前記動作内容を実行するよう自装置を制御する自装置制御手段と、
を有するリーダライタ。
８．  ７に記載のリーダライタにおいて、
前記自装置制御手段は、前記リーダライタ制御信号に含まれている前記動作情報で示される前記動作内容を完了すると、前記第２のＲＷ通信手段を制御して、完了したことを示すＲＷ返信信号を前記電子機器に送信させるリーダライタ。
９．  １から６のいずれかに記載の電子機器と、７又は８に記載のリーダライタと、を有する通信システム。
１０．  コンピュータを、
デバイスを検知するための検知信号を放出するとともに、前記検知信号を受信したデバイスから放出されたデバイス返信信号を受信する検知処理を実行するリーダライタの識別情報を１つ以上記憶する識別情報記憶手段、
前記識別情報記憶手段に前記識別情報を記憶されている前記リーダライタである制御対象リーダライタの動作を個別に制御する外部機器制御手段、
前記外部機器制御手段の制御に従い、前記制御対象リーダライタに実行させる動作内容を示した動作情報を含むリーダライタ制御信号を、前記制御対象リーダライタに送信する通信手段、
として機能させるためのプログラム。
１０−２．  １０に記載のプログラムにおいて、
前記外部機器制御手段に、前記制御対象リーダライタの電源のＯＮ／ＯＦＦ、前記検知処理の実行／休止、前記検知信号放出の実行／休止、及び、前記検知信号の電波の出力値の中の少なくとも１つを制御させるプログラム。
１０−３．  １０−２に記載のプログラムにおいて、
前記外部機器制御手段に、複数の前記制御対象リーダライタが同時に前記検知信号を放出しないように、前記制御対象リーダライタの電源のＯＮ／ＯＦＦ、前記検知処理の実行／休止、及び、前記検知信号の放出の実行／休止の中の少なくとも１つを制御させるプログラム。
１０−４．  １０−３に記載のプログラムにおいて、
前記外部機器制御手段に、
第１の前記制御対象リーダライタに前記検知処理を実行させる前記動作情報を含む前記リーダライタ制御信号を前記通信手段に送信させ、その後、前記通信手段が前記第１の制御対象リーダライタから前記検知処理を完了したことを示す完了通知を含むＲＷ返信信号を受信すると、その後、前記第１の制御対象リーダライタに前記検知処理を休止させる前記動作情報を含む前記リーダライタ制御信号を前記通信手段に送信させるとともに、第２の前記制御対象リーダライタに前記検知処理を実行させる前記動作情報を含む前記リーダライタ制御信号を前記通信手段に送信させる処理を実行させるプログラム。
１０−５．  １０−３に記載のプログラムにおいて、
前記外部機器制御手段に、
複数の前記制御対象リーダライタ各々が前記検知処理の実行又は前記検知信号の放出の実行を開始するタイミング及び終了するタイミングを示した前記動作情報を含む前記リーダライタ制御信号を前記通信手段に送信させる処理を実行させ、
前記動作情報は、複数の前記制御対象リーダライタが同時に前記検知処理又は前記検知信号の放出を実行しないように調整されているプログラム。
１０−６．  １０−２に記載のプログラムにおいて、
前記外部機器制御手段に、Ｘ個（Ｘは２以上の整数）の前記制御対象リーダライタが同時に前記検知処理を実行する又は同時に前記検知信号の放出を実行するように制御する場合の前記検知信号の電波の出力値が、Ｘ個よりも少ない数の前記制御対象リーダライタが前記検知処理を実行する又は前記検知信号の放出を実行するように制御する場合の前記検知信号の電波の出力値よりも小さくなるように、前記検知信号の電波の出力値を制御する処理を実行させるプログラム。
１１．  コンピュータが、
デバイスを検知するための検知信号を放出するとともに、前記検知信号を受信したデバイスから放出されたデバイス返信信号を受信する検知処理を実行するリーダライタの識別情報を１つ以上記憶する識別情報記憶しておき、
前記識別情報を記憶している前記リーダライタである制御対象リーダライタの動作を個別に制御する外部機器制御工程と、
前記外部機器制御工程に基づいた制御に従い、前記制御対象リーダライタに実行させる動作内容を示した動作情報を含むリーダライタ制御信号を、前記制御対象リーダライタに送信する通信工程と、
を実行する電子機器の動作方法。
１１−２．  １１に記載の電子機器の動作方法において、
前記外部機器制御工程では、前記制御対象リーダライタの電源のＯＮ／ＯＦＦ、前記検知処理の実行／休止、前記検知信号放出の実行／休止、及び、前記検知信号の電波の出力値の中の少なくとも１つを制御する電子機器の動作方法。
１１−３．  １１−２に記載の電子機器の動作方法において、
前記外部機器制御工程では、複数の前記制御対象リーダライタが同時に前記検知信号を放出しないように、前記制御対象リーダライタの電源のＯＮ／ＯＦＦ、前記検知処理の実行／休止、及び、前記検知信号の放出の実行／休止の中の少なくとも１つを制御する電子機器の動作方法。
１１−４．  １１−３に記載の電子機器の動作方法において、
前記外部機器制御工程では、
第１の前記制御対象リーダライタに前記検知処理を実行させる前記動作情報を含む前記リーダライタ制御信号を前記通信工程により送信させ、その後、前記通信工程で前記第１の制御対象リーダライタから前記検知処理を完了したことを示す完了通知を含むＲＷ返信信号を受信すると、その後、前記第１の制御対象リーダライタに前記検知処理を休止させる前記動作情報を含む前記リーダライタ制御信号を前記通信工程で送信させるとともに、第２の前記制御対象リーダライタに前記検知処理を実行させる前記動作情報を含む前記リーダライタ制御信号を前記通信工程で送信させる処理を実行する電子機器の動作方法。
１１−５．  １１−３に記載の電子機器の動作方法において、
前記外部機器制御工程では、
複数の前記制御対象リーダライタ各々が前記検知処理の実行又は前記検知信号の放出の実行を開始するタイミング及び終了するタイミングを示した前記動作情報を含む前記リーダライタ制御信号を前記通信工程で送信させ、
前記動作情報は、複数の前記制御対象リーダライタが同時に前記検知処理又は前記検知信号の放出を実行しないように調整されている電子機器の動作方法。
１１−６．  １１−２に記載の電子機器の動作方法において、
前記外部機器制御工程では、Ｘ個（Ｘは２以上の整数）の前記制御対象リーダライタが同時に前記検知処理を実行する又は同時に前記検知信号の放出を実行するように制御する場合の前記検知信号の電波の出力値が、Ｘ個よりも少ない数の前記制御対象リーダライタが前記検知処理を実行する又は前記検知信号の放出を実行するように制御する場合の前記検知信号の電波の出力値よりも小さくなるように、前記検知信号の電波の出力値を制御する電子機器の動作方法。
１２．  コンピュータを、
デバイスを検知するための検知信号を放出するとともに、前記検知信号を受信したデバイスから放出されたデバイス返信信号を受信する検知処理を実行する第１のＲＷ通信手段、
所定の電子機器と通信可能に構成された第２のＲＷ通信手段、
前記第２のＲＷ通信手段が前記電子機器から送信された、実行すべき動作内容を示した動作情報を含むリーダライタ制御信号を受信すると、当該動作情報で示される前記動作内容を実行するよう自装置を制御する自装置制御手段、
として機能させるためのプログラム。
１２−２．  １２に記載のプログラムにおいて、
前記自装置制御手段に、前記リーダライタ制御信号に含まれている前記動作情報で示される前記動作内容を完了すると、前記第２のＲＷ通信手段を制御して、完了したことを示すＲＷ返信信号を前記電子機器に送信させるプログラム。
１３．  コンピュータが、
デバイスを検知するための検知信号を放出するとともに、前記検知信号を受信したデバイスから放出されたデバイス返信信号を受信する検知処理を実行する第１のＲＷ通信工程と、
所定の電子機器と通信する第２のＲＷ通信工程と、
前記第２のＲＷ通信工程で前記電子機器から送信された、実行すべき動作内容を示した動作情報を含むリーダライタ制御信号を受信すると、当該動作情報で示される前記動作内容を実行するよう自装置を制御する自装置制御工程と、
を実行するリーダライタの動作方法。
１３−２．  １３に記載のリーダライタの動作方法において、
前記自装置制御工程では、前記リーダライタ制御信号に含まれている前記動作情報で示される前記動作内容を完了すると、前記第２のＲＷ通信工程を制御して、完了したことを示すＲＷ返信信号を前記電子機器に送信させるリーダライタの動作方法。
１４．  デバイスを検知するための検知信号を放出するとともに、前記検知信号を受信したデバイスから放出されたデバイス返信信号を受信する検知処理を実行する第１のＲＷ通信手段と、
前記デバイス返信信号に含まれる収集対象情報を記憶する収集対象情報記憶手段と、
所定の電子機器と通信可能に構成されており、前記収集対象情報を示した情報信号を前記電子機器に送信する第２のＲＷ通信手段と、
前記収集対象情報が前記電子機器に正常に取得されたか確認し、正常に取得されたことが確認された前記収集対象情報を前記収集対象情報記憶手段から削除する収集対象情報管理手段と、
を有するリーダライタ。
１５．  １４に記載のリーダライタにおいて、
前記収集対象情報管理手段は、前記第２のＲＷ通信手段が第１の前記収集対象情報を示した前記情報信号を送信したが、前記電子機器が前記第１の収集対象情報を正常に取得したことを確認できない場合、前記第２のＲＷ通信手段に前記第１の収集対象情報を示した前記情報信号を再度送信させるリーダライタ。
１６．  １４又は１５に記載のリーダライタにおいて、
前記収集対象情報記憶手段は、不揮発性の記憶装置であるリーダライタ。
１７．  コンピュータを、
デバイスを検知するための検知信号を放出するとともに、前記検知信号を受信したデバイスから放出されたデバイス返信信号を受信する検知処理を実行する第１のＲＷ通信手段、
前記デバイス返信信号に含まれる収集対象情報を記憶する収集対象情報記憶手段、
所定の電子機器と通信可能に構成されており、前記収集対象情報を示した情報信号を前記電子機器に送信する第２のＲＷ通信手段、
前記収集対象情報が前記電子機器に正常に取得されたか確認し、正常に取得されたことが確認された前記収集対象情報を前記収集対象情報記憶手段から削除する収集対象情報管理手段、
として機能させるためのプログラム。
１７−２．  １７に記載のプログラムにおいて、
前記収集対象情報管理手段に、前記第２のＲＷ通信手段が第１の前記収集対象情報を示した前記情報信号を送信したが、前記電子機器が前記第１の収集対象情報を正常に取得したことを確認できない場合、前記第２のＲＷ通信手段に前記第１の収集対象情報を示した前記情報信号を再度送信させる処理を実行させるプログラム。
１７−３．  １７又は１７−２に記載のプログラムにおいて、
前記収集対象情報記憶手段は、不揮発性の記憶装置であるプログラム。
１８．  コンピュータが、
デバイスを検知するための検知信号を放出するとともに、前記検知信号を受信したデバイスから放出されたデバイス返信信号を受信する検知処理を実行する第１のＲＷ通信工程と、
前記デバイス返信信号に含まれる収集対象情報を記憶手段に記憶させる収集対象情報記憶工程と、
前記収集対象情報を示した情報信号を所定の電子機器に送信するとともに、前記電子機器が送信した電子機器返信信号を受信する第２のＲＷ通信工程と、
前記収集対象情報が前記電子機器に正常に取得されたか確認し、正常に取得されたことが確認された前記収集対象情報を前記記憶手段から削除する収集対象情報管理工程と、
を実行するリーダライタの動作方法。
１８−２．  １８に記載のリーダライタの動作方法において、
前記収集対象情報管理工程では、前記第２のＲＷ通信工程で第１の前記収集対象情報を示した前記情報信号を送信したが、前記電子機器が前記第１の収集対象情報を正常に取得したことを確認できない場合、前記第２のＲＷ通信工程で前記第１の収集対象情報を示した前記情報信号を再度送信させるリーダライタの動作方法。
１８−３．  １８又は１８−２に記載のリーダライタの動作方法において、
前記記憶手段は、不揮発性の記憶装置であるリーダライタの動作方法。
１９．  電子機器と、リーダライタとを有する通信システムであって、
前記リーダライタは、
デバイスを検知するための検知信号を放出するとともに、前記検知信号を受信したデバイスから放出されたデバイス返信信号を受信する検知処理を実行する第１のＲＷ通信手段と、
前記デバイス返信信号に対応する時刻を示す第１の時刻情報を取得する第１の時刻情報取得手段と、
前記デバイス返信信号に含まれる収集対象情報と、前記第１の時刻情報とを対応付けた第１の対応情報を記憶する収集対象情報・時刻記憶手段と、
を有し、
前記電子機器は、
現在の位置情報を取得する位置情報取得手段と、
前記位置情報に対応する時刻を示す第２の時刻情報を取得する第２の時刻情報取得手段と、
前記位置情報と前記第２の時刻情報とを対応付けた第２の対応情報を記憶する位置・時刻情報記憶手段と、
を有し、
前記第１の対応情報と前記第２の対応情報とを用いて、前記収集対象情報と前記位置情報とが対応付けられる通信システム。
【符号の説明】
【０１６５】
１    電子機器
２    識別情報記憶部
３    外部機器制御部
４    通信部
５    位置情報取得部
６    第２の時刻情報取得部
７  位置・時刻情報記憶部
８    管理側収集対象情報記憶部
９    管理側収集対象情報管理部９
１１乃至１Ｘ    リーダライタ（ＲＷ）
２０  自装置情報記憶部
２１  第１のＲＷ通信部
２２  第２のＲＷ通信部
２３  自装置制御部
２４  収集対象情報記憶部
２５  収集対象情報管理部
２６  第１の時刻情報取得部
２７  収集情報・時刻記憶部
１Ａ    ＣＰＵ
２Ａ    ＲＡＭ
３Ａ    ＲＯＭ
４Ａ    通信部
５Ａ    操作受付部
６Ａ    操作部
７Ａ    表示制御部
８Ａ    ディスプレイ
９Ａ    補助記憶装置
１０Ａ  バス
１１Ａ    ＣＰＵ
１２Ａ    ＲＡＭ
１３Ａ    ＲＯＭ
１４Ａ    第１通信部
１５Ａ    第２通信部
１６Ａ    操作受付部
１７Ａ    操作部
１８Ａ    不揮発性記憶装置
１９Ａ  バス
【図１】
2015102929.tif 000003
【図２】
2015102929.tif 000004
【図３】
2015102929.tif 000005
【図４】
2015102929.tif 000006
【図５】
2015102929.tif 000007
【図６】
2015102929.tif 000008
【図７】
2015102929.tif 000009
【図８】
2015102929.tif 000010
【図９】
2015102929.tif 000011
【図１０】
2015102929.tif 000012
【図１１】
2015102929.tif 000013
【図１２】
2015102929.tif 000014
【図１３】
2015102929.tif 000015
【図１４】
2015102929.tif 000016
【図１５】
2015102929.tif 000017
【図１６】
2015102929.tif 000018
【図１７】
2015102929.tif 000019
【図１８】
2015102929.tif 000020
【図１９】
2015102929.tif 000021
【図２０】
2015102929.tif 000022